(57)【要約】【課題】ドライバに接続する基準電圧を切り替えて、画素電極間電圧を与える。【解決手段】  まず、コラムドライバに供給されている基準電圧ＧＮＤｃおよびロウドライバに供給されている基準電圧ＧＮＤｒの電圧値は、ＧＮＤ（０Ｖ）であり、ロウ電極Ｘ１乃至Ｘ３にはＧＮＤｒが接続され、コラム電極Ｙ１乃至Ｙ３にはＧＮＤｃが接続される。そして、スイッチが制御されて、所定の時間幅でＧＮＤｒに電圧（Ｖ１＋Ｖ２）が供給され、その次のタイミングで、所定の時間幅でＧＮＤｃに電圧（Ｖ１＋Ｖ２）が供給される。これにより、画素（Ｘ１，Ｙ１）乃至（Ｘ３，Ｙ３）の画素電極間には、（Ｖ１＋Ｖ２）の両極性パルスが印加されるので、２つの電極間のコレステリック液晶層はプレーナ状態となり、全面がプレーナ状態にリセットされる。本発明は、液晶表示装置や、液晶表示装置の駆動回路に適用できる。【選択図】図１２
2006350117.tif 000002
【特許請求の範囲】
【請求項１】
ロウ電極およびコラム電極に電圧を印加することにより、コレステリック液晶の状態を変化させて情報を表示する表示手段と、
前記ロウ電極に電圧を印加するロウドライバと、
前記コラム電極に電圧を印加するコラムドライバと、
前記ロウドライバのそれぞれの入力端子へ供給される電圧を選択的に切り替える複数のロウドライバ入力切替手段と、
前記コラムドライバのそれぞれの入力端子へ供給される電圧を選択的に切り替える複数のコラムドライバ入力切替手段と、
前記ロウドライバおよび前記コラムドライバの動作を制御するとともに、複数の前記ロウドライバ入力切替手段および複数の前記コラムドライバ入力切替手段のそれぞれを制御する制御手段と
を備え、
前記ロウドライバの入力端子は、第１の基準電圧入力端子、第１の駆動電圧入力端子、第１の制御信号入力端子を含み、
前記コラムドライバの入力端子は、第２の基準電圧入力端子、第２の駆動電圧入力端子、第２の制御信号入力端子を含み、
前記ロウドライバ入力切替手段は、
前記第１の基準電圧入力端子へ供給される電圧を、前記コレステリック液晶の状態をプレーナ状態とするために必要な両極性電圧の絶対値よりも大きな電圧値である第１の電圧と、０Ｖとのいずれか一方に選択的に切り替える第１の切り替え手段と、
前記第１の駆動電圧入力端子へ供給される電圧を、前記第１の電圧と、前記コレステリック液晶の状態をフォーカルコニック状態とするために必要な両極性電圧の絶対値よりも小さな電圧値である第２の電圧を絶対値とする第１の両極性電圧とのいずれか一方に選択的に切り替える第２の切り替え手段と、
前記第１の制御信号入力端子へ供給される電圧を、前記第１の電圧と、前記制御手段から供給される制御信号入力とのいずれか一方に選択的に切り替える第３の切り替え手段と
を含み、
前記コラムドライバ入力切替手段は、
前記第２の基準電圧入力端子へ供給される電圧を、前記第１の電圧と、０Ｖとのいずれか一方に選択的に切り替える第４の切り替え手段と、
前記第２の駆動電圧入力端子へ供給される電圧を、前記第１の電圧と、前記コレステリック液晶の状態をフォーカルコニック状態とするために必要な両極性電圧の絶対値よりも小さな電圧値である第３の電圧を絶対値とする第２の両極性電圧とのいずれか一方に選択的に切り替える第５の切り替え手段と、
前記第２の制御信号入力端子へ供給される電圧を、前記第１の電圧と、前記制御手段から供給される制御信号入力とのいずれか一方に選択的に切り替える第６の切り替え手段と
を含み、
前記第２の電圧と前記第３の電圧との和は、前記コレステリック液晶の状態をフォーカルコニック状態とするために必要な両極性電圧の絶対値よりも大きな電圧値である
ことを特徴とする表示装置。
【請求項２】
前記制御手段は、
前記コレステリック液晶をプレーナ状態とする場合、
前記ロウドライバまたは前記コラムドライバのうちのいずれか一方のドライバの全ての入力端子に前記第１の電圧が供給され、かつ、他方のドライバの全ての入力端子に前記第１の電圧が供給されていない第１の状態と、
前記ロウドライバまたは前記コラムドライバのうち、前記第１の状態においてすべての入力端子に前記第１の電圧が供給されていたドライバの全ての入力端子に前記第１の電圧が供給されておらず、かつ、他方のドライバの全ての入力端子に前記第１の電圧が供給されている第２の状態と
が、所定時間づつ、連続して実現され、
前記コレステリック液晶をフォーカルコニック状態とする場合、
前記ロウドライバ、および、前記コラムドライバの全ての入力端子に前記第１の電圧が供給されていない第３の状態となる
ように、前記ロウドライバ入力切替手段および前記コラムドライバ入力切替手段を制御するとともに、
前記第１の状態および前記第２の状態においては、前記第１の基準電圧供給端子および前記第２の基準電圧供給端子に供給される電圧を、前記ロウ電極および前記コラム電極に供給させ、前記第３の状態においては、前記第１の駆動電圧供給端子に供給される前記第１の両極性電圧を、前記ロウ電極に順次走査印加させ、前記第２の駆動電圧入力端子に供給される前記第１の両極性駆動電圧とは逆極性の前記第２の両極性駆動電圧を前記コラム電極に選択的に印加させるように、前記ロウドライバおよび前記コラムドライバを制御する
ことを特徴とする請求項１に記載の表示装置。
【請求項３】
ロウ電極およびコラム電極に電圧を印加することにより、コレステリック液晶に情報を表示する表示部を備える表示装置の表示方法において、
前記ロウ電極に電圧を印加するロウドライバの第１の基準電圧入力端子に０Ｖを供給するとともに、前記第１の基準電圧入力端子に供給される電圧の前記ロウ電極への印加を開始する第１の基準電圧印加ステップと、
前記コラム電極に電圧を印加するコラムドライバの第２の基準電圧入力端子に０Ｖを供給するとともに、前記第２の基準電圧入力端子に供給される電圧の前記コラム電極への印加を開始する第２の基準電圧印加ステップと、
前記コレステリック液晶をプレーナ状態とするために、前記ロウドライバの前記第１の基準電圧入力端子に供給される電圧を、０Ｖから、前記コレステリック液晶の状態をプレーナ状態とするために必要な両極性電圧の絶対値よりも大きな電圧値である第１の電圧に切り替える第１の基準電圧制御ステップと、
前記第１の基準電圧制御ステップの処理と同時に、前記ロウドライバの前記第１の基準電圧入力端子以外の入力端子の全てに供給される電圧を、前記第１の電圧に切り替える第１の入力電圧供給制御ステップと、
前記第１の基準電圧制御ステップの処理から第１の期間が経過した後、前記ロウドライバの前記第１の基準電圧入力端子に供給される電圧を、前記第１の電圧から０Ｖに切り替える第２の基準電圧制御ステップと、
前記第２の基準電圧制御ステップの処理と同時に、前記ロウドライバの前記第１の基準電圧入力端子以外の入力端子へ供給される電圧を、前記第１の電圧に切り替えられる前の状態に切り替える第２の入力電圧切り替えステップと、
前記第１の基準電圧制御ステップの処理とは異なるタイミングで、前記コラムドライバの前記第２の基準電圧入力端子に供給される電圧を、０Ｖから前記第１の電圧に切り替える第３の基準電圧制御ステップと、
前記第３の基準電圧制御ステップの処理と同時に、前記コラムドライバの前記第２の基準電圧入力端子以外の入力端子の全てに供給される電圧を、前記第１の電圧に切り替える第３の入力電圧供給制御ステップと、
前記第３の基準電圧制御ステップの処理から第２の期間が経過した後、前記コラムドライバの前記第２の基準電圧入力端子に供給される電圧を、前記第１の電圧から０Ｖに切り替える第４の基準電圧制御ステップと、
前記第４の基準電圧制御ステップの処理と同時に、前記コラムドライバの前記第２の基準電圧入力端子以外の入力端子の全てに供給される電圧を、前記第１の電圧に切り替えられる前の状態に切り替える第４の入力電圧切り替えステップと、
前記ロウ電極への前記第１の基準電圧入力端子に供給される電圧の印加を終了させ、前記コラム電極への前記第２の基準電圧入力端子に供給される電圧の印加を終了させるとともに、前記ロウ電極には、前記ロウドライバの第１の駆動電圧入力端子に供給される第１の両極性駆動電圧を順次走査印加させ、前記コラム電極には、前記コラムドライバの第２の駆動電圧入力端子に供給される第２の両極性駆動電圧を前記第１の両極性駆動電圧とは逆極性となるように選択的に印加させることにより、前記コレステリック液晶の所望の部分をフォーカルコニック状態として、前記表示部への前記情報の表示を制御する表示制御ステップと
を含み、
前記第１の期間の終了と同時に前記第２の期間が開始されるか、または、前記第２の期間の終了と同時に前記第１の期間が開始され、
前記ロウドライバに供給される前記第１の両極駆動電圧は、前記コレステリック液晶の状態をフォーカルコニック状態とするために必要な両極性電圧の絶対値よりも小さな電圧値である第２の電圧を絶対値とし、
前記コラムドライバに供給される前記第２の両極性駆動電圧は、前記コレステリック液晶の状態をフォーカルコニック状態とするために必要な両極性電圧の絶対値よりも小さな電圧値である第３の電圧を絶対値とし、
前記第２の電圧と前記第３の電圧との和は、前記コレステリック液晶の状態をフォーカルコニック状態とするために必要な両極性電圧の絶対値よりも大きな電圧値である
ことを特徴とする表示方法。
【請求項４】
ロウ電極およびコラム電極に電圧を印加することにより、コレステリック液晶により構成される液晶表示素子を駆動する液晶駆動回路において、
前記ロウ電極に電圧を印加するロウドライバと、
前記コラム電極に電圧を印加するコラムドライバと、
前記ロウドライバのそれぞれの入力端子へ供給される電圧を選択的に切り替える複数のロウドライバ入力切替手段と、
前記コラムドライバのそれぞれの入力端子へ供給される電圧を選択的に切り替える複数のコラムドライバ入力切替手段と、
前記ロウドライバおよび前記コラムドライバの動作を制御するとともに、複数の前記ロウドライバ入力切替手段および複数の前記コラムドライバ入力切替手段のそれぞれを制御する制御手段と
を備え、
前記ロウドライバの入力端子は、第１の基準電圧入力端子、第１の駆動電圧入力端子、第１の制御信号入力端子を含み、
前記コラムドライバの入力端子は、第２の基準電圧入力端子、第２の駆動電圧入力端子、第２の制御信号入力端子を含み、
前記ロウドライバ入力切替手段は、
前記第１の基準電圧入力端子へ供給される電圧を、前記コレステリック液晶の状態をプレーナ状態とするために必要な両極性電圧の絶対値よりも大きな電圧値である第１の電圧と、０Ｖとのいずれか一方に選択的に切り替える第１の切り替え手段と、
前記第１の駆動電圧入力端子へ供給される電圧を、前記第１の電圧と、前記コレステリック液晶の状態をフォーカルコニック状態とするために必要な両極性電圧の絶対値よりも小さな電圧値である第２の電圧を絶対値とする第１の両極性電圧とのいずれか一方に選択的に切り替える第２の切り替え手段と、
前記第１の制御信号入力端子へ供給される電圧を、前記第１の電圧と、前記制御手段から供給される制御信号入力とのいずれか一方に選択的に切り替える第３の切り替え手段と
を含み、
前記コラムドライバ入力切替手段は、
前記第２の基準電圧入力端子へ供給される電圧を、前記第１の電圧と、０Ｖとのいずれか一方に選択的に切り替える第４の切り替え手段と、
前記第２の駆動電圧入力端子へ供給される電圧を、前記第１の電圧と、前記コレステリック液晶の状態をフォーカルコニック状態とするために必要な両極性電圧の絶対値よりも小さな電圧値である第３の電圧を絶対値とする第２の両極性電圧とのいずれか一方に選択的に切り替える第５の切り替え手段と、
前記第２の制御信号入力端子へ供給される電圧を、前記第１の電圧と、前記制御手段から供給される制御信号入力とのいずれか一方に選択的に切り替える第６の切り替え手段と
を含み、
前記第２の電圧と前記第３の電圧との和は、前記コレステリック液晶の状態をフォーカルコニック状態とするために必要な両極性電圧の絶対値よりも大きな電圧値である
ことを特徴とする液晶駆動回路。
【請求項５】
前記制御手段は、
前記コレステリック液晶をプレーナ状態とする場合、
前記ロウドライバまたは前記コラムドライバのうちのいずれか一方のドライバの全ての入力端子に前記第１の電圧が供給され、かつ、他方のドライバの全ての入力端子に前記第１の電圧が供給されていない第１の状態と、
前記ロウドライバまたは前記コラムドライバのうち、前記第１の状態においてすべての入力端子に前記第１の電圧が供給されていたドライバの全ての入力端子に前記第１の電圧が供給されておらず、かつ、他方のドライバの全ての入力端子に前記第１の電圧が供給されている第２の状態と
が、所定時間づつ、連続して実現され、
前記コレステリック液晶をフォーカルコニック状態とする場合、
前記ロウドライバ、および、前記コラムドライバの全ての入力端子に前記第１の電圧が供給されていない第３の状態となる
ように、前記ロウドライバ入力切替手段および前記コラムドライバ入力切替手段を制御するとともに、
前記第１の状態および前記第２の状態においては、前記第１の基準電圧供給端子および前記第２の基準電圧供給端子に供給される電圧を、前記ロウ電極および前記コラム電極に供給させ、前記第３の状態においては、前記第１の駆動電圧供給端子に供給される前記第１の両極性電圧を、前記ロウ電極に順次走査印加させ、前記第２の駆動電圧入力端子に供給される前記第１の両極性駆動電圧とは逆極性の前記第２の両極性駆動電圧を前記コラム電極に選択的に印加させるように、前記ロウドライバおよび前記コラムドライバを制御する
ことを特徴とする請求項４に記載の液晶駆動回路。
【請求項６】
ロウ電極およびコラム電極に電圧を印加することにより、コレステリック液晶により構成される液晶表示素子を駆動する液晶駆動回路の液晶駆動方法において、
前記ロウ電極に電圧を印加するロウドライバの第１の基準電圧入力端子に０Ｖを供給するとともに、前記第１の基準電圧入力端子に供給される電圧の前記ロウ電極への印加を開始する第１の基準電圧印加ステップと、
前記コラム電極に電圧を印加するコラムドライバの第２の基準電圧入力端子に０Ｖを供給するとともに、前記第２の基準電圧入力端子に供給される電圧の前記コラム電極への印加を開始する第２の基準電圧印加ステップと、
前記コレステリック液晶をプレーナ状態とするために、前記ロウドライバの前記第１の基準電圧入力端子に供給される電圧を、０Ｖから、前記コレステリック液晶の状態をプレーナ状態とするために必要な両極性電圧の絶対値よりも大きな電圧値である第１の電圧に切り替える第１の基準電圧制御ステップと、
前記第１の基準電圧制御ステップの処理と同時に、前記ロウドライバの前記第１の基準電圧入力端子以外の入力端子の全てに供給される電圧を、前記第１の電圧に切り替える第１の入力電圧供給制御ステップと、
前記第１の基準電圧制御ステップの処理から第１の期間が経過した後、前記ロウドライバの前記第１の基準電圧入力端子に供給される電圧を、前記第１の電圧から０Ｖに切り替える第２の基準電圧制御ステップと、
前記第２の基準電圧制御ステップの処理と同時に、前記ロウドライバの前記第１の基準電圧入力端子以外の入力端子へ供給される電圧を、前記第１の電圧に切り替えられる前の状態に切り替える第２の入力電圧切り替えステップと、
前記第１の基準電圧制御ステップの処理とは異なるタイミングで、前記コラムドライバの前記第２の基準電圧入力端子に供給される電圧を、０Ｖから前記第１の電圧に切り替える第３の基準電圧制御ステップと、
前記第３の基準電圧制御ステップの処理と同時に、前記コラムドライバの前記第２の基準電圧入力端子以外の入力端子の全てに供給される電圧を、前記第１の電圧に切り替える第３の入力電圧供給制御ステップと、
前記第３の基準電圧制御ステップの処理から第２の期間が経過した後、前記コラムドライバの前記第２の基準電圧入力端子に供給される電圧を、前記第１の電圧から０Ｖに切り替える第４の基準電圧制御ステップと、
前記第４の基準電圧制御ステップの処理と同時に、前記コラムドライバの前記第２の基準電圧入力端子以外の入力端子の全てに供給される電圧を、前記第１の電圧に切り替えられる前の状態に切り替える第４の入力電圧切り替えステップと、
前記ロウ電極への前記第１の基準電圧入力端子に供給される電圧の印加を終了させ、前記コラム電極への前記第２の基準電圧入力端子に供給される電圧の印加を終了させるとともに、前記ロウ電極には、前記ロウドライバの第１の駆動電圧入力端子に供給される第１の両極性駆動電圧を順次走査印加させ、前記コラム電極には、前記コラムドライバの第２の駆動電圧入力端子に供給される第２の両極性駆動電圧を前記第１の両極性駆動電圧とは逆極性となるように選択的に印加させる駆動電圧印加制御ステップと
を含み、
前記第１の期間の終了と同時に前記第２の期間が開始されるか、または、前記第２の期間の終了と同時に前記第１の期間が開始され、
前記ロウドライバに供給される前記第１の両極駆動電圧は、前記コレステリック液晶の状態をフォーカルコニック状態とするために必要な両極性電圧の絶対値よりも小さな電圧値である第２の電圧を絶対値とし、
前記コラムドライバに供給される前記第２の両極性駆動電圧は、前記コレステリック液晶の状態をフォーカルコニック状態とするために必要な両極性電圧の絶対値よりも小さな電圧値である第３の電圧を絶対値とし、
前記第２の電圧と前記第３の電圧との和は、前記コレステリック液晶の状態をフォーカルコニック状態とするために必要な両極性電圧の絶対値よりも大きな電圧値である
ことを特徴とする液晶駆動方法。
【発明の詳細な説明】
【技術分野】
【０００１】
本発明は、表示装置および表示方法、並びに、液晶駆動回路および液晶駆動方法に関し、特に、コレステリック液晶を用いて情報を表示する場合に用いて好適な、表示装置および表示方法、並びに、液晶駆動回路および液晶駆動方法に関する。
【背景技術】
【０００２】
液晶表示装置には、例えば、単純マトリクス方式のＴＮ（Twisted Nematic）液晶やＳＴＮ（Super Twisted Nematic）液晶、アクティブマトリクス方式を利用したＴＦＴ（Thin Film Transistor）液晶やＭＩＭ（Metal In Metal）液晶などが利用されている。
【０００３】
単純マトリクス方式は、格子状にX電極、Y電極を配置し、これらの電極をタイミングよくON／OFFすることで交点部の液晶を駆動するものである。単純マトリクス方式を用いた液晶表示装置は、電極が少なく、構造も単純なため製造が容易で歩留りが高いので、アクティブマトリクス方式を利用した製品に比べて一般に価格が安いが、画素を構成する液晶セルの電極が独立していないため、電圧が干渉して周りのセルに影響を及ぼしてしまい、画素の１つ１つをクリアに表示しにくい。一方、アクティブマトリクス方式は、単純マトリクス方式に対し、画素ごとにオン、オフを切り替えて（画素の１つ１つに対応するアクティブ素子を追加して、液晶を駆動することにより）表示するものである。アクティブマトリクス方式は、単純マトリクス方式に比べて反応速度が速く、残像が少なく、また視野角も広いなど性能の点では優れているが、製造コストが高い。
【０００４】
これらの液晶を利用した表示装置において、情報の表示を保持するためには、液晶に電圧を印加し続ける必要がある。液晶に一定期間電圧が印加された場合、「焼き付き」と称される残像現象が発生する。焼き付きを防ぐためには、例えば、所定周期で画素電極に印加される電圧を反転させるフレーム反転技術などが用いられる。フレーム反転などの極性反転技術が採用された場合、信号線に印加される電圧の振幅は、方極性で駆動される場合と比較して、２倍必要となる。そこで、信号線に印加される電圧振幅を半減させるために、コモン反転技術などが用いられている。
【０００５】
以上説明した液晶表示装置に対して、コレステリック液晶を用いた液晶表示装置では、印加電圧によって状態が遷移し（プレーナ状態とフォーカルコニック状態）、これを利用して、情報を表示し、更に、一度表示された情報を、電源の供給なしに保持することが可能である（例えば、非特許文献１参照）。
【０００６】
【非特許文献１】日刊工業新聞社発行、「液晶デバイスハンドブック」、１９８９年９月２９日発行、第３５２頁乃至第３５５頁
【０００７】
コレステリック液晶は、プレーナ状態では、液晶螺旋層の間隔に対応した波長の光を選択的に反射し、フォーカルコニック状態では、ほぼ透明となる。
【０００８】
図１および図２を用いて、コレステリック液晶パネル１の構成について説明する。図１は、コレステリック液晶パネル１の断面図であり、図２は、コレステリック液晶パネル１の２つの電極の構成について説明するための図である。
【０００９】
ガラス基板１１−１には、透明コラム電極（ＩＴＯ：Indium Tin Oxide）１２が、ストライプ状に蒸着（または、スパッタリング）され、ガラス基板１１−２には、透明ロウ電極（ＩＴＯ：Indium Tin Oxide）１５が、ストライプ状に蒸着（または、スパッタリング）されている。ガラス基板１１−１およびガラス基板１１−２の透明コラム電極１２および透明ロウ電極１５が蒸着（または、スパッタリング）された側の面には、それぞれ、膜厚数μｍ程度のポリイミド層１３−１および１３−２が形成される。
【００１０】
このように電極が設けられたガラス基板１１−１およびガラス基板１１−２は、透明コラム電極１２と透明ロウ電極１５のそれぞれのストライプがクロスし、ポリイミド層１３−１およびポリイミド層１３−２を介して対面するように、ギャップ材などにより、ギャップ厚数μｍ（例えば、５μｍ程度）で張り合わされる。そして、ガラス基板１１−１およびガラス基板１１−２のギャップ間に、例えば、真空注入法などで、コレステリック液晶が注入されて、コレステリック液晶膜１４が形成される。
【００１１】
コレステリック液晶パネル１は、例えば、一般的に用いられるＴＮ（Twisted Nematic）液晶などのように、ポリイミド層を配向させたり、偏光板をガラス基板の上に設けたりする必要がない。
【００１２】
コレステリック液晶は、分子構造として、特殊なヘリカル構造（らせん構造）を持っており、印加された両極性パルス電圧の値によって、ヘリカル構造が変化するために、状態が変化する。図３に示されるように、コレステリック液晶は、印加される両極性パルス電圧の値によって、フォーカルコニック状態およびプレーナ状態の、安定した２つの状態をとることができる。プレーナ状態は、光の特定波長帯域を干渉散乱する状態であり、フォーカルコニック状態は、光を広帯域にわたって透過する状態である。
【００１３】
したがって、コレステリック液晶パネル１においては、プレーナ状態において反射される波長帯域に基づいて決定される第１の色と、フォーカルコニック状態において透明である場合に液晶を透過して見える第２の色によって、情報を表示することができる。すなわち、コレステリック液晶パネル１においては、例えば、コレステリック液晶が、プレーナ状態において特定波長帯域の光を乱反射するようにし、コレステリック液晶層１４の下を黒色にして、フォーカルコニック状態において、その黒色が透過して見えるようにすることにより、特定波長色と黒のモノトーン表示を行うことが可能となる。
【００１４】
図３に示されるように、コレステリック液晶の状態をプレーナ状態に変化させるために必要な両極性パルス電圧の電圧値Ｖｐｓは、フォーカルコニック状態に変化させるために必要な両極性パルス電圧の電圧値Ｖｆｓの、ほぼ２倍の電圧値である。
【００１５】
コレステリック液晶は、所定の画素電極に、両極性パルス電圧が印加されて、フォーカルコニック状態、または、プレーナ状態になると、その後、電圧の印加を受けなければ、その状態を保持することができる。そして、コレステリック液晶は、再び、両極性パルス電圧が印加された場合、その電圧値によって、必要に応じて、状態を再度変化させることができる。すなわち、コレステリック液晶を用いたコレステリック液晶パネル１は、両極性パルス電圧の印加によって表示された情報を、その後の電源の供給を受けることなく保持することが可能である。
【００１６】
図４は、コレステリック液晶パネル１の所定の画素の表示を変更させる場合に画素電極に印加される駆動電圧波形の例である。フォーカルコニック状態において、所定の画素電極に、電圧Ｖｐｓの両極性パルスが印加された場合、プレーナ状態となるので、表示色は第１の色となり、プレーナ状態において、所定の画素電極に、電圧Ｖｆｓの両極性パルスが印加された場合、フォーカルコニック状態となるので、表示色は、第１の色から第２の色に変更される。
【００１７】
コレステリック液晶パネル１においては、例えば、パネルの全面に電圧値Ｖｐｓの両極性パルスを印加することにより、表示面全体をプレーナ状態として、表示されている情報を一旦リセットすることができる。そして、コレステリック液晶パネル１においては、情報のリセットの後、必要な位置の画素電極に電圧値Ｖｆｓの両極性パルスを印加して、フォーカルコニック状態に状態を変化させることにより、所定の情報を表示し、その後、電圧をかけないことにより、表示された情報を保持することができる。
【００１８】
図５は、コレステリック液晶パネル１を駆動するための、従来の液晶駆動回路２１の構成例を示すブロック図である。ここでは、コレステリック液晶パネル１は、ｎ×ｍ画素の情報を表示するものとして説明する。
【００１９】
コラムドライバ３１は、クロック（ＣＬＫ）信号およびコレステリック液晶パネル１に表示させる情報を示すデータ（ＤＡＴＡ）信号の供給を受けるとともに、駆動電圧±Ｖ２およびＧＮＤ（０Ｖ）と接続され、コレステリック液晶パネル１の透明コラム電極１２のコラム（信号）電極Ｙ１乃至Ｙｎに、図７を用いて後述する所定のタイミングで、所定の電圧を印加するドライバである。
【００２０】
ロウドライバ３２は、クロック（ＣＬＫ）信号の供給を受けるとともに、駆動電圧±Ｖ１およびコラムドライバ３１に供給されているＧＮＤと共通のＧＮＤと接続され、コレステリック液晶パネル１の透明ロウ電極１５のロウ（走査）電極Ｘ１乃至Ｘｍに、図７を用いて後述する所定のタイミングで、所定の電圧を印加するドライバである。
【００２１】
ここで、駆動電圧Ｖ１と駆動電圧Ｖ２とは、Ｖ１＋Ｖ２＞Ｖｐｓを満たす電圧値である。
【００２２】
次に、３×３の９画素を２色で表示（特定波長色と黒の２色であり、例えば、特定波長色が白である場合、白と黒との２色で表示）する場合の具体例について説明する。
【００２３】
例えば、図６に示されるように、３×３の９画素のうち、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素を黒に、他の３画素を特定波長色に表示する場合について説明する。特定波長色の表示は、プレーナ状態のコレステリック液晶により、特定波長色の光が干渉散乱されている状態であり、黒の表示は、フォーカルコニック状態の透明なコレステリック液晶を透過して、黒色が表示されている状態である。
【００２４】
図７および図８は、コラムドライバ３１およびロウドライバ３２の動作を説明するためのタイミングチャートである。図７は、コレステリック液晶１に、図６に示されるような３×３の９画素の情報を表示させるために、コラムドライバ３１がコラム電極Ｙ１乃至Ｙ３に印加する両極性パルスの電圧とタイミング、および、ロウドライバ３２がロウ電極Ｘ１乃至Ｘ３に印加する両極性パルスの電圧とタイミングを説明するためのタイミングチャートであり、図８は、図７を用いて説明した印加電圧によって、３×３の９画素（Ｘ１，Ｙ１）乃至（Ｘ３，Ｙ３）の画素電極間（透明コラム電極１２と、透明ロウ電極１５との交点となる電極間）に印加される両極性パルスを説明するためのタイミングチャートである。
【００２５】
まず、現在保持されている情報をリセットするため、図７に示されるように、コラム電極Ｙ１乃至Ｙ３には、電圧Ｖ１の両極性パルスが印加され、ロウ電極Ｘ１乃至Ｘ３には、電圧−Ｖ２の両極性パルスが印加される。したがって、図８に示されるように、画素（Ｘ１，Ｙ１）乃至（Ｘ３，Ｙ３）に対応するそれぞれの画素電極間には、Ｖ１＋Ｖ２の両極性パルスが印加される。ここで、Ｖ１＋Ｖ２＞Ｖｐｓであるので、透明コラム電極１２と透明ロウ電極１５の２つの電極間のコレステリック液晶層１４は、プレーナ状態となり、特定波長光を干渉散乱する。すなわち、画素（Ｘ１，Ｙ１）乃至（Ｘ３，Ｙ３）は、全て特定波長色の表示となる（以下、全プレーナリセットと称する）。
【００２６】
その後、図７に示されるように、ロウドライバ３２は、ロウ電極Ｘ１から、順次、ロウ電極Ｘ２、ロウ電極Ｘ３と、電圧Ｖ３の両極性パルスを走査印加することで、いずれかのロウ電極を選択する。そして、コラムドライバ３１は、ロウ電極の選択タイミングに対応して、コラム電極Ｙ１乃至コラム電極Ｙ３に、選択的に逆特性の両極性パルス−Ｖ４を印加する。ここで、Ｖ３＋Ｖ４＞Ｖｆｓであり、Ｖ１＞Ｖ３かつＶ２＞Ｖ４であるものとする。
【００２７】
ロウ電極およびコラム電極に同一タイミングで両極性パルスが印加された画素電極に対応する（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素には、図８に示されるように、Ｖ３＋Ｖ４＞Ｖｆｓの両極性パルス電圧が印加されるので、対応する画素位置の透明コラム電極１２と透明ロウ電極１５の２つの電極間のコレステリック液晶層１４は、フォーカルコニック状態となり、透明となる。すなわち、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素は、黒で表示される。
【００２８】
また、Ｖ３＋Ｖ４＞Ｖｆｓであり、電圧値Ｖｐｓは、電圧値Ｖｆｓの、ほぼ２倍の電圧値であるので、Ｖ１＋Ｖ２＞Ｖ３＋Ｖ４が成立する。
【００２９】
このようにして、コレステリック液晶パネル１の表示を、一旦、全プレーナリセットした後、任意の画素を特定波長色から黒に反転して、情報を表示することが可能となる。
【発明の開示】
【発明が解決しようとする課題】
【００３０】
図５を用いて説明した液晶駆動回路２１のコラムドライバ３１およびロウドライバ３２がコレステリック液晶パネル１を駆動するために必要な電圧は、それぞれ、±Ｖ２と±Ｖ１となり、その最大値は、Ｖ１＝Ｖ２とした場合に最も低くなる。コラムドライバ３１およびロウドライバ３２には、常に、それぞれ、±Ｖ２と±Ｖ１が供給される。したがって、コラムドライバ３１およびロウドライバ３２の耐圧、すなわち、ドライバが入出力に耐えるべき端子間電位差の最大値は、２×Ｖ２（＝２×Ｖ１）以上でなければならない。
【００３１】
コレステリック液晶の状態をプレーナ状態に変更するための両極性パルス電圧Ｖｐｓ、および、コレステリック液晶の状態をフォーカルコニック状態に変更するための両極性パルス電圧Ｖｆｓは、電極間のギャップ厚によって異なるが、例えば、ギャップ厚が５μｍである場合、Ｖｐｓ＝４０Ｖ、Ｖｆｓ＝２０Ｖ程度が必要である。したがって、コラムドライバ３１およびロウドライバ３２は、Ｖ１＋Ｖ２＞Ｖｐｓを満たすためには、それぞれ、２０Ｖ程度の耐圧が必要となってしまう。
【００３２】
このように、通常のＴＮ液晶が数Ｖで駆動できるのに対して、コレステリック液晶を駆動するためのドライバは、耐圧を非常に高くする必要があるため、駆動回路の小型化および低コスト化が非常に困難であった。
【００３３】
本発明はこのような状況に鑑みてなされたものであり、コレステリック液晶を駆動するためのドライバの耐圧を低くすることができるようにするものである。
【課題を解決するための手段】
【００３４】
本発明の表示装置は、ロウ電極およびコラム電極に電圧を印加することにより、コレステリック液晶の状態を変化させて情報を表示する表示手段と、ロウ電極に電圧を印加するロウドライバと、コラム電極に電圧を印加するコラムドライバと、ロウドライバのそれぞれの入力端子へ供給される電圧を選択的に切り替える複数のロウドライバ入力切替手段と、コラムドライバのそれぞれの入力端子へ供給される電圧を選択的に切り替える複数のコラムドライバ入力切替手段と、ロウドライバおよびコラムドライバの動作を制御するとともに、複数のロウドライバ入力切替手段および複数のコラムドライバ入力切替手段のそれぞれを制御する制御手段とを備え、ロウドライバの入力端子は、第１の基準電圧入力端子、第１の駆動電圧入力端子、第１の制御信号入力端子を含み、コラムドライバの入力端子は、第２の基準電圧入力端子、第２の駆動電圧入力端子、第２の制御信号入力端子を含み、ロウドライバ入力切替手段は、第１の基準電圧入力端子へ供給される電圧を、コレステリック液晶の状態をプレーナ状態とするために必要な両極性電圧の絶対値よりも大きな電圧値である第１の電圧と、０Ｖとのいずれか一方に選択的に切り替える第１の切り替え手段と、第１の駆動電圧入力端子へ供給される電圧を、第１の電圧と、コレステリック液晶の状態をフォーカルコニック状態とするために必要な両極性電圧の絶対値よりも小さな電圧値である第２の電圧を絶対値とする第１の両極性電圧とのいずれか一方に選択的に切り替える第２の切り替え手段と、第１の制御信号入力端子へ供給される電圧を、第１の電圧と、制御手段から供給される制御信号入力とのいずれか一方に選択的に切り替える第３の切り替え手段とを含み、コラムドライバ入力切替手段は、第２の基準電圧入力端子へ供給される電圧を、第１の電圧と、０Ｖとのいずれか一方に選択的に切り替える第４の切り替え手段と、第２の駆動電圧入力端子へ供給される電圧を、第１の電圧と、コレステリック液晶の状態をフォーカルコニック状態とするために必要な両極性電圧の絶対値よりも小さな電圧値である第３の電圧を絶対値とする第２の両極性電圧とのいずれか一方に選択的に切り替える第５の切り替え手段と、第２の制御信号入力端子へ供給される電圧を、第１の電圧と、制御手段から供給される制御信号入力とのいずれか一方に選択的に切り替える第６の切り替え手段とを含み、第２の電圧と第３の電圧との和は、コレステリック液晶の状態をフォーカルコニック状態とするために必要な両極性電圧の絶対値よりも大きな電圧値であることを特徴とする。
【００３５】
制御手段には、コレステリック液晶をプレーナ状態とする場合、ロウドライバまたはコラムドライバのうちのいずれか一方のドライバの全ての入力端子に第１の電圧が供給され、かつ、他方のドライバの全ての入力端子に第１の電圧が供給されていない第１の状態と、ロウドライバまたはコラムドライバのうち、第１の状態においてすべての入力端子に第１の電圧が供給されていたドライバの全ての入力端子に第１の電圧が供給されておらず、かつ、他方のドライバの全ての入力端子に第１の電圧が供給されている第２の状態とが、所定時間づつ、連続して実現され、コレステリック液晶をフォーカルコニック状態とする場合、ロウドライバ、および、コラムドライバの全ての入力端子に第１の電圧が供給されていない第３の状態となるように、ロウドライバ入力切替手段およびコラムドライバ入力切替手段を制御させるようにすることができるとともに、第１の状態および第２の状態においては、第１の基準電圧供給端子および第２の基準電圧供給端子に供給される電圧を、ロウ電極およびコラム電極に供給させ、第３の状態においては、第１の駆動電圧供給端子に供給される第１の両極性電圧を、ロウ電極に順次走査印加させ、第２の駆動電圧入力端子に供給される第１の両極性駆動電圧とは逆極性の第２の両極性駆動電圧をコラム電極に選択的に印加させるように、ロウドライバおよびコラムドライバを制御させるようにすることができる。
【００３６】
本発明の表示方法は、ロウ電極に電圧を印加するロウドライバの第１の基準電圧入力端子に０Ｖを供給するとともに、第１の基準電圧入力端子に供給される電圧のロウ電極への印加を開始する第１の基準電圧印加ステップと、コラム電極に電圧を印加するコラムドライバの第２の基準電圧入力端子に０Ｖを供給するとともに、第２の基準電圧入力端子に供給される電圧のコラム電極への印加を開始する第２の基準電圧印加ステップと、コレステリック液晶をプレーナ状態とするために、ロウドライバの第１の基準電圧入力端子に供給される電圧を、０Ｖから、コレステリック液晶の状態をプレーナ状態とするために必要な両極性電圧の絶対値よりも大きな電圧値である第１の電圧に切り替える第１の基準電圧制御ステップと、第１の基準電圧制御ステップの処理と同時に、ロウドライバの第１の基準電圧入力端子以外の入力端子の全てに供給される電圧を、第１の電圧に切り替える第１の入力電圧供給制御ステップと、第１の基準電圧制御ステップの処理から第１の期間が経過した後、ロウドライバの第１の基準電圧入力端子に供給される電圧を、第１の電圧から０Ｖに切り替える第２の基準電圧制御ステップと、第２の基準電圧制御ステップの処理と同時に、ロウドライバの第１の基準電圧入力端子以外の入力端子へ供給される電圧を、第１の電圧に切り替えられる前の状態に切り替える第２の入力電圧切り替えステップと、第１の基準電圧制御ステップの処理とは異なるタイミングで、コラムドライバの第２の基準電圧入力端子に供給される電圧を、０Ｖから第１の電圧に切り替える第３の基準電圧制御ステップと、第３の基準電圧制御ステップの処理と同時に、コラムドライバの第２の基準電圧入力端子以外の入力端子の全てに供給される電圧を、第１の電圧に切り替える第３の入力電圧供給制御ステップと、第３の基準電圧制御ステップの処理から第２の期間が経過した後、コラムドライバの第２の基準電圧入力端子に供給される電圧を、第１の電圧から０Ｖに切り替える第４の基準電圧制御ステップと、第４の基準電圧制御ステップの処理と同時に、コラムドライバの第２の基準電圧入力端子以外の入力端子の全てに供給される電圧を、第１の電圧に切り替えられる前の状態に切り替える第４の入力電圧切り替えステップと、ロウ電極への第１の基準電圧入力端子に供給される電圧の印加を終了させ、コラム電極への第２の基準電圧入力端子に供給される電圧の印加を終了させるとともに、ロウ電極には、ロウドライバの第１の駆動電圧入力端子に供給される第１の両極性駆動電圧を順次走査印加させ、コラム電極には、コラムドライバの第２の駆動電圧入力端子に供給される第２の両極性駆動電圧を第１の両極性駆動電圧とは逆極性となるように選択的に印加させることにより、コレステリック液晶の所望の部分をフォーカルコニック状態として、表示部への情報の表示を制御する表示制御ステップとを含み、第１の期間の終了と同時に第２の期間が開始されるか、または、第２の期間の終了と同時に第１の期間が開始され、ロウドライバに供給される第１の両極駆動電圧は、コレステリック液晶の状態をフォーカルコニック状態とするために必要な両極性電圧の絶対値よりも小さな電圧値である第２の電圧を絶対値とし、コラムドライバに供給される第２の両極性駆動電圧は、コレステリック液晶の状態をフォーカルコニック状態とするために必要な両極性電圧の絶対値よりも小さな電圧値である第３の電圧を絶対値とし、第２の電圧と第３の電圧との和は、コレステリック液晶の状態をフォーカルコニック状態とするために必要な両極性電圧の絶対値よりも大きな電圧値であることを特徴とする。
【００３７】
本発明の表示装置および表示方法においては、ロウドライバの第１の基準電圧入力端子に０Ｖが供給されるとともに、第１の基準電圧入力端子に供給される電圧のロウ電極への印加が開始され、コラムドライバの第２の基準電圧入力端子に０Ｖが供給されるとともに、第２の基準電圧入力端子に供給される電圧のコラム電極への印加が開始され、ロウドライバの第１の基準電圧入力端子に供給される電圧が、０Ｖから、コレステリック液晶の状態をプレーナ状態とするために必要な両極性電圧の絶対値よりも大きな電圧値である第１の電圧に切り替えられ、これと同時に、ロウドライバの第１の基準電圧入力端子以外の入力端子の全てに供給される電圧が、第１の電圧に切り替えられ、ロウドライバの各入力端子へ供給される電圧の第１の電圧への切り替えから第１の期間が経過した後、ロウドライバの第１の基準電圧入力端子に供給される電圧が、第１の電圧から０Ｖに切り替えられ、これと同時に、ロウドライバの第１の基準電圧入力端子以外の入力端子へ供給される電圧が、第１の電圧に切り替えられる前の状態に切り替えられ、ロウドライバの各入力端子へ供給される電圧の第１の電圧への切り替えとは異なるタイミングで、コラムドライバの第２の基準電圧入力端子に供給される電圧が、０Ｖから第１の電圧に切り替えられ、これと同時に、コラムドライバの第２の基準電圧入力端子以外の入力端子の全てに供給される電圧が、第１の電圧に切り替えられ、コラムドライバの各入力端子へ供給される電圧の第１の電圧への切り替えから第２の期間が経過した後、コラムドライバの第２の基準電圧入力端子に供給される電圧が、第１の電圧から０Ｖに切り替えられ、これと同時に、コラムドライバの第２の基準電圧入力端子以外の入力端子の全てに供給される電圧が、第１の電圧に切り替えられる前の状態に切り替えられ、ロウ電極への第１の基準電圧入力端子に供給される電圧の印加が終了され、コラム電極への第２の基準電圧入力端子に供給される電圧の印加が終了されるとともに、ロウ電極には、ロウドライバの第１の駆動電圧入力端子に供給される第１の両極性駆動電圧が順次走査印加され、コラム電極には、コラムドライバの第２の駆動電圧入力端子に供給される第２の両極性駆動電圧が第１の両極性駆動電圧とは逆極性となるように選択的に印加されることにより、コレステリック液晶の所望の部分がフォーカルコニック状態とされて、表示部への情報の表示が制御される。このとき、第１の期間の終了と同時に第２の期間が開始されるか、または、第２の期間の終了と同時に第１の期間が開始される。また、ロウドライバに供給される第１の両極駆動電圧は、コレステリック液晶の状態をフォーカルコニック状態とするために必要な両極性電圧の絶対値よりも小さな電圧値である第２の電圧を絶対値とされ、コラムドライバに供給される第２の両極性駆動電圧は、コレステリック液晶の状態をフォーカルコニック状態とするために必要な両極性電圧の絶対値よりも小さな電圧値である第３の電圧を絶対値とされ、第２の電圧と第３の電圧との和は、コレステリック液晶の状態をフォーカルコニック状態とするために必要な両極性電圧の絶対値よりも大きな電圧値とされる。
【００３８】
本発明の液晶駆動回路は、ロウ電極に電圧を印加するロウドライバと、コラム電極に電圧を印加するコラムドライバと、ロウドライバのそれぞれの入力端子へ供給される電圧を選択的に切り替える複数のロウドライバ入力切替手段と、コラムドライバのそれぞれの入力端子へ供給される電圧を選択的に切り替える複数のコラムドライバ入力切替手段と、ロウドライバおよびコラムドライバの動作を制御するとともに、複数のロウドライバ入力切替手段および複数のコラムドライバ入力切替手段のそれぞれを制御する制御手段とを備え、ロウドライバの入力端子は、第１の基準電圧入力端子、第１の駆動電圧入力端子、第１の制御信号入力端子を含み、コラムドライバの入力端子は、第２の基準電圧入力端子、第２の駆動電圧入力端子、第２の制御信号入力端子を含み、ロウドライバ入力切替手段は、第１の基準電圧入力端子へ供給される電圧を、コレステリック液晶の状態をプレーナ状態とするために必要な両極性電圧の絶対値よりも大きな電圧値である第１の電圧と、０Ｖとのいずれか一方に選択的に切り替える第１の切り替え手段と、第１の駆動電圧入力端子へ供給される電圧を、第１の電圧と、コレステリック液晶の状態をフォーカルコニック状態とするために必要な両極性電圧の絶対値よりも小さな電圧値である第２の電圧を絶対値とする第１の両極性電圧とのいずれか一方に選択的に切り替える第２の切り替え手段と、第１の制御信号入力端子へ供給される電圧を、第１の電圧と、制御手段から供給される制御信号入力とのいずれか一方に選択的に切り替える第３の切り替え手段とを含み、コラムドライバ入力切替手段は、第２の基準電圧入力端子へ供給される電圧を、第１の電圧と、０Ｖとのいずれか一方に選択的に切り替える第４の切り替え手段と、第２の駆動電圧入力端子へ供給される電圧を、第１の電圧と、コレステリック液晶の状態をフォーカルコニック状態とするために必要な両極性電圧の絶対値よりも小さな電圧値である第３の電圧を絶対値とする第２の両極性電圧とのいずれか一方に選択的に切り替える第５の切り替え手段と、第２の制御信号入力端子へ供給される電圧を、第１の電圧と、制御手段から供給される制御信号入力とのいずれか一方に選択的に切り替える第６の切り替え手段とを含み、第２の電圧と第３の電圧との和は、コレステリック液晶の状態をフォーカルコニック状態とするために必要な両極性電圧の絶対値よりも大きな電圧値であることを特徴とする。
【００３９】
制御手段には、コレステリック液晶をプレーナ状態とする場合、ロウドライバまたはコラムドライバのうちのいずれか一方のドライバの全ての入力端子に第１の電圧が供給され、かつ、他方のドライバの全ての入力端子に第１の電圧が供給されていない第１の状態と、ロウドライバまたはコラムドライバのうち、第１の状態においてすべての入力端子に第１の電圧が供給されていたドライバの全ての入力端子に第１の電圧が供給されておらず、かつ、他方のドライバの全ての入力端子に第１の電圧が供給されている第２の状態とが、所定時間づつ、連続して実現され、コレステリック液晶をフォーカルコニック状態とする場合、ロウドライバ、および、コラムドライバの全ての入力端子に第１の電圧が供給されていない第３の状態となるように、ロウドライバ入力切替手段およびコラムドライバ入力切替手段を制御させるようにすることができるとともに、第１の状態および第２の状態においては、第１の基準電圧供給端子および第２の基準電圧供給端子に供給される電圧を、ロウ電極およびコラム電極に供給させ、第３の状態においては、第１の駆動電圧供給端子に供給される第１の両極性電圧を、ロウ電極に順次走査印加させ、第２の駆動電圧入力端子に供給される第１の両極性駆動電圧とは逆極性の第２の両極性駆動電圧をコラム電極に選択的に印加させるように、ロウドライバおよびコラムドライバを制御させるようにすることができる。
【００４０】
本発明の液晶駆動方法は、ロウ電極に電圧を印加するロウドライバの第１の基準電圧入力端子に０Ｖを供給するとともに、第１の基準電圧入力端子に供給される電圧のロウ電極への印加を開始する第１の基準電圧印加ステップと、コラム電極に電圧を印加するコラムドライバの第２の基準電圧入力端子に０Ｖを供給するとともに、第２の基準電圧入力端子に供給される電圧のコラム電極への印加を開始する第２の基準電圧印加ステップと、コレステリック液晶をプレーナ状態とするために、ロウドライバの第１の基準電圧入力端子に供給される電圧を、０Ｖから、コレステリック液晶の状態をプレーナ状態とするために必要な両極性電圧の絶対値よりも大きな電圧値である第１の電圧に切り替える第１の基準電圧制御ステップと、第１の基準電圧制御ステップの処理と同時に、ロウドライバの第１の基準電圧入力端子以外の入力端子の全てに供給される電圧を、第１の電圧に切り替える第１の入力電圧供給制御ステップと、第１の基準電圧制御ステップの処理から第１の期間が経過した後、ロウドライバの第１の基準電圧入力端子に供給される電圧を、第１の電圧から０Ｖに切り替える第２の基準電圧制御ステップと、第２の基準電圧制御ステップの処理と同時に、ロウドライバの第１の基準電圧入力端子以外の入力端子へ供給される電圧を、第１の電圧に切り替えられる前の状態に切り替える第２の入力電圧切り替えステップと、第１の基準電圧制御ステップの処理とは異なるタイミングで、コラムドライバの第２の基準電圧入力端子に供給される電圧を、０Ｖから第１の電圧に切り替える第３の基準電圧制御ステップと、第３の基準電圧制御ステップの処理と同時に、コラムドライバの第２の基準電圧入力端子以外の入力端子の全てに供給される電圧を、第１の電圧に切り替える第３の入力電圧供給制御ステップと、第３の基準電圧制御ステップの処理から第２の期間が経過した後、コラムドライバの第２の基準電圧入力端子に供給される電圧を、第１の電圧から０Ｖに切り替える第４の基準電圧制御ステップと、第４の基準電圧制御ステップの処理と同時に、コラムドライバの第２の基準電圧入力端子以外の入力端子の全てに供給される電圧を、第１の電圧に切り替えられる前の状態に切り替える第４の入力電圧切り替えステップと、ロウ電極への第１の基準電圧入力端子に供給される電圧の印加を終了させ、コラム電極への第２の基準電圧入力端子に供給される電圧の印加を終了させるとともに、ロウ電極には、ロウドライバの第１の駆動電圧入力端子に供給される第１の両極性駆動電圧を順次走査印加させ、コラム電極には、コラムドライバの第２の駆動電圧入力端子に供給される第２の両極性駆動電圧を第１の両極性駆動電圧とは逆極性となるように選択的に印加させる駆動電圧印加制御ステップとを含み、第１の期間の終了と同時に第２の期間が開始されるか、または、第２の期間の終了と同時に第１の期間が開始され、ロウドライバに供給される第１の両極駆動電圧は、コレステリック液晶の状態をフォーカルコニック状態とするために必要な両極性電圧の絶対値よりも小さな電圧値である第２の電圧を絶対値とし、コラムドライバに供給される第２の両極性駆動電圧は、コレステリック液晶の状態をフォーカルコニック状態とするために必要な両極性電圧の絶対値よりも小さな電圧値である第３の電圧を絶対値とし、第２の電圧と第３の電圧との和は、コレステリック液晶の状態をフォーカルコニック状態とするために必要な両極性電圧の絶対値よりも大きな電圧値であることを特徴とする。
【００４１】
本発明の液晶駆動回路および液晶駆動方法においては、ロウドライバの第１の基準電圧入力端子に０Ｖが供給されるとともに、第１の基準電圧入力端子に供給される電圧のロウ電極への印加が開始され、コラムドライバの第２の基準電圧入力端子に０Ｖが供給されるとともに、第２の基準電圧入力端子に供給される電圧のコラム電極への印加が開始され、ロウドライバの第１の基準電圧入力端子に供給される電圧が、０Ｖから、コレステリック液晶の状態をプレーナ状態とするために必要な両極性電圧の絶対値よりも大きな電圧値である第１の電圧に切り替えられ、これと同時に、ロウドライバの第１の基準電圧入力端子以外の入力端子の全てに供給される電圧が、第１の電圧に切り替えられ、ロウドライバの各入力端子へ供給される電圧の第１の電圧への切り替えから第１の期間が経過した後、ロウドライバの第１の基準電圧入力端子に供給される電圧が、第１の電圧から０Ｖに切り替えられ、これと同時に、ロウドライバの第１の基準電圧入力端子以外の入力端子へ供給される電圧が、第１の電圧に切り替えられる前の状態に切り替えられ、ロウドライバの各入力端子へ供給される電圧の第１の電圧への切り替えとは異なるタイミングで、コラムドライバの第２の基準電圧入力端子に供給される電圧が、０Ｖから第１の電圧に切り替えられ、これと同時に、コラムドライバの第２の基準電圧入力端子以外の入力端子の全てに供給される電圧が、第１の電圧に切り替えられ、コラムドライバの各入力端子へ供給される電圧の第１の電圧への切り替えから第２の期間が経過した後、コラムドライバの第２の基準電圧入力端子に供給される電圧が、第１の電圧から０Ｖに切り替えられ、これと同時に、コラムドライバの第２の基準電圧入力端子以外の入力端子の全てに供給される電圧が、第１の電圧に切り替えられる前の状態に切り替えられ、ロウ電極への第１の基準電圧入力端子に供給される電圧の印加が終了され、コラム電極への第２の基準電圧入力端子に供給される電圧の印加が終了されるとともに、ロウ電極には、ロウドライバの第１の駆動電圧入力端子に供給される第１の両極性駆動電圧が順次走査印加され、コラム電極には、コラムドライバの第２の駆動電圧入力端子に供給される第２の両極性駆動電圧が第１の両極性駆動電圧とは逆極性となるように選択的に印加されるように、駆動電圧の印加が制御される。このとき、第１の期間の終了と同時に第２の期間が開始されるか、または、第２の期間の終了と同時に第１の期間が開始される。また、ロウドライバに供給される第１の両極駆動電圧は、コレステリック液晶の状態をフォーカルコニック状態とするために必要な両極性電圧の絶対値よりも小さな電圧値である第２の電圧を絶対値とされ、コラムドライバに供給される第２の両極性駆動電圧は、コレステリック液晶の状態をフォーカルコニック状態とするために必要な両極性電圧の絶対値よりも小さな電圧値である第３の電圧を絶対値とされ、第２の電圧と第３の電圧との和は、コレステリック液晶の状態をフォーカルコニック状態とするために必要な両極性電圧の絶対値よりも大きな電圧値とされる。
【発明の効果】
【００４２】
本発明によれば、液晶表示素子を用いた表示装置に情報を表示することができる。特に、コレステリック液晶を備える表示部の表示のリセットおよび情報の書き込みのためのドライバ耐圧を低くすることができる。
【００４３】
また、他の本発明によれば、液晶表示素子を駆動することができる他、コレステリック液晶を耐圧の低いドライバで駆動することができる。
【発明を実施するための最良の形態】
【００４４】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４５】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００４６】
請求項１に記載の表示装置（例えば、図９のコレステリック液晶パネル１および液晶駆動回路４１を備える液晶表示装置）は、ロウ電極およびコラム電極に電圧を印加することにより、コレステリック液晶の状態を変化させて情報を表示する表示手段（例えば、図９のコレステリック液晶パネル１）と、ロウ電極に電圧を印加するロウドライバ（例えば、図９のロウドライバ５３）と、コラム電極に電圧を印加するコラムドライバ（例えば、図９のコラムドライバ５２）と、ロウドライバのそれぞれの入力端子へ供給される電圧を選択的に切り替える複数のロウドライバ入力切替手段（例えば、図９のスイッチ７１乃至７４）と、コラムドライバのそれぞれの入力端子へ供給される電圧を選択的に切り替える複数のコラムドライバ入力切替手段（例えば、図９のスイッチ６１乃至６４）と、ロウドライバおよびコラムドライバの動作を制御するとともに、複数のロウドライバ入力切替手段および複数のコラムドライバ入力切替手段のそれぞれを制御する制御手段（例えば、図９のコントローラ５１）とを備え、ロウドライバの入力端子は、第１の基準電圧入力端子、第１の駆動電圧入力端子、第１の制御信号入力端子を含み、コラムドライバの入力端子は、第２の基準電圧入力端子、第２の駆動電圧入力端子、第２の制御信号入力端子を含み、ロウドライバ入力切替手段は、第１の基準電圧入力端子へ供給される電圧を、コレステリック液晶の状態をプレーナ状態とするために必要な両極性電圧の絶対値よりも大きな電圧値である第１の電圧（例えば、Ｖ１＋Ｖ２）と、０Ｖとのいずれか一方に選択的に切り替える第１の切り替え手段（例えば、図９のスイッチ７４）と、第１の駆動電圧入力端子へ供給される電圧を、第１の電圧と、コレステリック液晶の状態をフォーカルコニック状態とするために必要な両極性電圧の絶対値よりも小さな電圧値である第２の電圧を絶対値とする第１の両極性電圧（例えば、±Ｖ３）とのいずれか一方に選択的に切り替える第２の切り替え手段（例えば、図９のスイッチ７２および７３）と、第１の制御信号入力端子へ供給される電圧を、第１の電圧と、制御手段から供給される制御信号入力とのいずれか一方に選択的に切り替える第３の切り替え手段（例えば、図９のスイッチ７１）とを含み、コラムドライバ入力切替手段は、第２の基準電圧入力端子へ供給される電圧を、第１の電圧と、０Ｖとのいずれか一方に選択的に切り替える第４の切り替え手段（例えば、図９のスイッチ６４）と、第２の駆動電圧入力端子へ供給される電圧を、第１の電圧と、コレステリック液晶の状態をフォーカルコニック状態とするために必要な両極性電圧の絶対値よりも小さな電圧値である第３の電圧を絶対値とする第２の両極性電圧（例えば、±Ｖ４）とのいずれか一方に選択的に切り替える第５の切り替え手段（例えば、図９のスイッチ６２および６３）と、第２の制御信号入力端子へ供給される電圧を、第１の電圧と、制御手段から供給される制御信号入力とのいずれか一方に選択的に切り替える第６の切り替え手段（例えば、図９のスイッチ６１）とを含み、第２の電圧と第３の電圧との和は、コレステリック液晶の状態をフォーカルコニック状態とするために必要な両極性電圧の絶対値よりも大きな電��値であることを特徴とする。
【００４７】
請求項３に記載の表示方法は、ロウ電極およびコラム電極に電圧を印加することにより、コレステリック液晶に情報を表示する表示部を備える表示装置（例えば、図９のコレステリック液晶パネル１および液晶駆動回路４１を備える液晶表示装置）の表示方法であって、ロウ電極に電圧を印加するロウドライバ（例えば、図９のロウドライバ５３）の第１の基準電圧入力端子に０Ｖを供給するとともに、第１の基準電圧入力端子に供給される電圧のロウ電極への印加を開始する第１の基準電圧印加ステップ（例えば、図１４のステップＳ１およびステップＳ３の処理）と、コラム電極に電圧を印加するコラムドライバ（例えば、図９のコラムドライバ５２）の第２の基準電圧入力端子に０Ｖを供給するとともに、第２の基準電圧入力端子に供給される電圧のコラム電極への印加を開始する第２の基準電圧印加ステップ（例えば、図１４のステップＳ２およびステップＳ４の処理）と、コレステリック液晶をプレーナ状態とするために、ロウドライバの第１の基準電圧入力端子に供給される電圧を、０Ｖから、コレステリック液晶の状態をプレーナ状態とするために必要な両極性電圧の絶対値よりも大きな電圧値である第１の電圧（例えば、Ｖ１＋Ｖ２）に切り替える第１の基準電圧制御ステップ（例えば、図１４のステップＳ５の処理）と、第１の基準電圧制御ステップの処理と同時に、ロウドライバの第１の基準電圧入力端子以外の入力端子の全てに供給される電圧を、第１の電圧に切り替える第１の入力電圧供給制御ステップ（例えば、図１４のステップＳ５の処理）と、第１の基準電圧制御ステップの処理から第１の期間が経過した後、ロウドライバの第１の基準電圧入力端子に供給される電圧を、第１の電圧から０Ｖに切り替える第２の基準電圧制御ステップ（例えば、図１４のステップＳ６の処理）と、第２の基準電圧制御ステップの処理と同時に、ロウドライバの第１の基準電圧入力端子以外の入力端子へ供給される電圧を、第１の電圧に切り替えられる前の状態に切り替える第２の入力電圧切り替えステップ（例えば、図１４のステップＳ６の処理）と、第１の基準電圧制御ステップの処理とは異なるタイミングで、コラムドライバの第２の基準電圧入力端子に供給される電圧を、０Ｖから第１の電圧に切り替える第３の基準電圧制御ステップ（例えば、図１４のステップＳ６の処理）と、第３の基準電圧制御ステップの処理と同時に、コラムドライバの第２の基準電圧入力端子以外の入力端子の全てに供給される電圧を、第１の電圧に切り替える第３の入力電圧供給制御ステップ（例えば、図１４のステップＳ６の処理）と、第３の基準電圧制御ステップの処理から第２の期間が経過した後、コラムドライバの第２の基準電圧入力端子に供給される電圧を、第１の電圧から０Ｖに切り替える第４の基準電圧制御ステップ（例えば、図１４のステップＳ７の処理）と、第４の基準電圧制御ステップの処理と同時に、コラムドライバの第２の基準電圧入力端子以外の入力端子の全てに供給される電圧を、第１の電圧に切り替えられる前の状態に切り替える第４の入力電圧切り替えステップ（例えば、図１４のステップＳ７の処理）と、ロウ電極への第１の基準電圧入力端子に供給される電圧の印加を終了させ、コラム電極への第２の基準電圧入力端子に供給される電圧の印加を終了させるとともに、ロウ電極には、ロウドライバの第１の駆動電圧入力端子に供給される第１の両極性駆動電圧を順次走査印加させ、コラム電極には、コラムドライバの第２の駆動電圧入力端子に供給される第２の両極性駆動電圧を第１の両極性駆動電圧とは逆極性となるように選択的に印加させることにより、コレステリック液晶の所望の部分をフォーカルコニック状態として、表示部への情報の表示を制御する表示制御ステップ（例えば、図１４のステップＳ８の処理）とを含み、第１の期間の終了と同時に第２の期間が開始されるか、または、第２の期間の終了と同時に第１の期間が開始され、ロウドライバに供給される第１の両極駆動電圧（例えば、±Ｖ３）は、コレステリック液晶の状態をフォーカルコニック状態とするために必要な両極性電圧の絶対値よりも小さな電圧値である第２の電圧を絶対値とし、コラムドライバに供給される第２の両極性駆動電圧（例えば、±Ｖ４）は、コレステリック液晶の状態をフォーカルコニック状態とするために必要な両極性電圧の絶対値よりも小さな電圧値である第３の電圧を絶対値とし、第２の電圧と第３の電圧との和（例えば、Ｖ３＋Ｖ４）は、コレステリック液晶の状態をフォーカルコニック状態とするために必要な両極性電圧の絶対値よりも大きな電圧値であることを特徴とする。
【００４８】
請求項４に記載の液晶駆動回路（例えば、図９の液晶駆動回路４１）は、ロウ電極およびコラム電極に電圧を印加することにより、コレステリック液晶により構成される液晶表示素子（例えば、図９のコレステリック液晶パネル１）を駆動する液晶駆動回路であって、ロウ電極に電圧を印加するロウドライバ（例えば、図９のロウドライバ５３）と、コラム電極に電圧を印加するコラムドライバ（例えば、図９のコラムドライバ５２）と、ロウドライバのそれぞれの入力端子へ供給される電圧を選択的に切り替える複数のロウドライバ入力切替手段（例えば、図９のスイッチ７１乃至７４）と、コラムドライバのそれぞれの入力端子へ供給される電圧を選択的に切り替える複数のコラムドライバ入力切替手段（例えば、図９のスイッチ６１乃至６４）と、ロウドライバおよびコラムドライバの動作を制御するとともに、複数のロウドライバ入力切替手段および複数のコラムドライバ入力切替手段のそれぞれを制御する制御手段（例えば、図９のコントローラ５１）とを備え、ロウドライバの入力端子は、第１の基準電圧入力端子、第１の駆動電圧入力端子、第１の制御信号入力端子を含み、コラムドライバの入力端子は、第２の基準電圧入力端子、第２の駆動電圧入力端子、第２の制御信号入力端子を含み、ロウドライバ入力切替手段は、第１の基準電圧入力端子へ供給される電圧を、コレステリック液晶の状態をプレーナ状態とするために必要な両極性電圧の絶対値よりも大きな電圧値である第１の電圧（例えば、Ｖ１＋Ｖ２）と、０Ｖとのいずれか一方に選択的に切り替える第１の切り替え手段（例えば、図９のスイッチ７４）と、第１の駆動電圧入力端子へ供給される電圧を、第１の電圧と、コレステリック液晶の状態をフォーカルコニック状態とするために必要な両極性電圧の絶対値よりも小さな電圧値である第２の電圧を絶対値とする第１の両極性電圧（例えば、±Ｖ３）とのいずれか一方に選択的に切り替える第２の切り替え手段（例えば、図９のスイッチ７２および７３）と、第１の制御信号入力端子へ供給される電圧を、第１の電圧と、制御手段から供給される制御信号入力とのいずれか一方に選択的に切り替える第３の切り替え手段（例えば、図９のスイッチ７１）とを含み、コラムドライバ入力切替手段は、第２の基準電圧入力端子へ供給される電圧を、第１の電圧と、０Ｖとのいずれか一方に選択的に切り替える第４の切り替え手段（例えば、図９のスイッチ６４）と、第２の駆動電圧入力端子へ供給される電圧を、第１の電圧と、コレステリック液晶の状態をフォーカルコニック状態とするために必要な両極性電圧の絶対値よりも小さな電圧値である第３の電圧を絶対値とする第２の両極性電圧（例えば、±Ｖ４）とのいずれか一方に選択的に切り替える第５の切り替え手段（例えば、図９のスイッチ６２および６３）と、第２の制御信号入力端子へ供給される電圧を、第１の電圧と、制御手段から供給される制御信号入力とのいずれか一方に選択的に切り替える第６の切り替え手段（例えば、図９のスイッチ６１）とを含み、第２の電圧と第３の電圧との和は、コレステリック液晶の状態をフォーカルコニック状態とするために必要な両極性電圧の絶対値よりも大きな電圧値であることを特徴とする。
【００４９】
請求項６に記載の液晶駆動方法は、ロウ電極およびコラム電極に電圧を印加することにより、コレステリック液晶により構成される液晶表示素子（例えば、図９のコレステリック液晶パネル１）を駆動する液晶駆動回路（例えば、図９の液晶駆動回路４１）の液晶駆動方法であって、ロウ電極に電圧を印加するロウドライバ（例えば、図９のロウドライバ５３）の第１の基準電圧入力端子に０Ｖを供給するとともに、第１の基準電圧入力端子に供給される電圧のロウ電極への印加を開始する第１の基準電圧印加ステップ（例えば、図１４のステップＳ１およびステップＳ３の処理）と、コラム電極に電圧を印加するコラムドライバ（例えば、図９のコラムドライバ５２）の第２の基準電圧入力端子に０Ｖを供給するとともに、第２の基準電圧入力端子に供給される電圧のコラム電極への印加を開始する第２の基準電圧印加ステップ（例えば、図１４のステップＳ２およびステップＳ４の処理）と、コレステリック液晶をプレーナ状態とするために、ロウドライバの第１の基準電圧入力端子に供給される電圧を、０Ｖから、コレステリック液晶の状態をプレーナ状態とするために必要な両極性電圧の絶対値よりも大きな電圧値である第１の電圧（例えば、Ｖ１＋Ｖ２）に切り替える第１の基準電圧制御ステップ（例えば、図１４のステップＳ５の処理）と、第１の基準電圧制御ステップの処理と同時に、ロウドライバの第１の基準電圧入力端子以外の入力端子の全てに供給される電圧を、第１の電圧に切り替える第１の入力電圧供給制御ステップ（例えば、図１４のステップＳ５の処理）と、第１の基準電圧制御ステップの処理から第１の期間が経過した後、ロウドライバの第１の基準電圧入力端子に供給される電圧を、第１の電圧から０Ｖに切り替える第２の基準電圧制御ステップ（例えば、図１４のステップＳ６の処理）と、第２の基準電圧制御ステップの処理と同時に、ロウドライバの第１の基準電圧入力端子以外の入力端子へ供給される電圧を、第１の電圧に切り替えられる前の状態に切り替える第２の入力電圧切り替えステップ（例えば、図１４のステップＳ６の処理）と、第１の基準電圧制御ステップの処理とは異なるタイミングで、コラムドライバの第２の基準電圧入力端子に供給される電圧を、０Ｖから第１の電圧に切り替える第３の基準電圧制御ステップ（例えば、図１４のステップＳ６の処理）と、第３の基準電圧制御ステップの処理と同時に、コラムドライバの第２の基準電圧入力端子以外の入力端子の全てに供給される電圧を、第１の電圧に切り替える第３の入力電圧供給制御ステップ（例えば、図１４のステップＳ６の処理）と、第３の基準電圧制御ステップの処理から第２の期間が経過した後、コラムドライバの第２の基準電圧入力端子に供給される電圧を、第１の電圧から０Ｖに切り替える第４の基準電圧制御ステップ（例えば、図１４のステップＳ７の処理）と、第４の基準電圧制御ステップの処理と同時に、コラムドライバの第２の基準電圧入力端子以外の入力端子の全てに供給される電圧を、第１の電圧に切り替えられる前の状態に切り替える第４の入力電圧切り替えステップ（例えば、図１４のステップＳ７の処理）と、ロウ電極への第１の基準電圧入力端子に供給される電圧の印加を終了させ、コラム電極への第２の基準電圧入力端子に供給される電圧の印加を終了させるとともに、ロウ電極には、ロウドライバの第１の駆動電圧入力端子に供給される第１の両極性駆動電圧を順次走査印加させ、コラム電極には、コラムドライバの第２の駆動電圧入力端子に供給される第２の両極性駆動電圧を第１の両極性駆動電圧とは逆極性となるように選択的に印加させる駆動電圧印加制御ステップ（例えば、図１４のステップＳ８の処理）とを含み、第１の期間の終了と同時に第２の期間が開始されるか、または、第２の期間の終了と同時に第１の期間が開始され、ロウドライバに供給される第１の両極駆動電圧（例えば、±Ｖ３）は、コレステリック液晶の状態をフォーカルコニック状態とするために必要な両極性電圧の絶対値よりも小さな電圧値である第２の電圧を絶対値とし、コラムドライバに供給される第２の両極性駆動電圧（例えば、±Ｖ４）は、コレステリック液晶の状態をフォーカルコニック状態とするために必要な両極性電圧の絶対値よりも小さな電圧値である第３の電圧を絶対値とし、第２の電圧と第３の電圧との和（例えば、Ｖ３＋Ｖ４）は、コレステリック液晶の状態をフォーカルコニック状態とするために必要な両極性電圧の絶対値よりも大きな電圧値であることを特徴とする。
【００５０】
以下、図を参照して、本発明の実施の形態について説明する。
【００５１】
図９は、コレステリック液晶パネル１を駆動するための、本発明を適用した液晶駆動回路４１の構成を示すブロック図である。コレステリック液晶パネル１と、液晶駆動回路４１と、図示しない電源供給部（例えば、バッテリなど）によって、液晶表示装置が構成される。
【００５２】
なお、従来の場合と対応する部分には同一の符号を付してあり、その説明は適宜省略する。
【００５３】
コレステリック液晶パネル１は、図１乃至図４を用いて説明した、従来のコレステリック液晶パネルと同様のものである。
【００５４】
すなわち、コレステリック液晶パネル１においては、画素電極間の電位差がＶｐｓより大きな両極性パルス（絶対値がＶｐｓより大きな所定の時間幅の正の電圧と、それに続く、絶対値が同一の所定の時間幅の負の電圧）が印加された場合、その画素位置に対応する部分のコレステリック液晶がプレーナ状態となることにより、対応する画素が、プレーナ状態において反射される波長帯域に基づいて決定される第１の色で表示される。また、コレステリック液晶パネル１においては、画素電極間の電位差がＶｆｓよりも大きい両極性パルス（絶対値がＶｆｓより大きな所定の時間幅の正の電圧と、それに続く、絶対値が同一の所定の時間幅の負の電圧）が印加された場合、その画素位置に対応する部分のコレステリック液晶がフォーカルコニック状態となることにより、対応する画素が、液晶を透過して見える第２の色で表示される。
【００５５】
ここでは、コレステリック液晶パネル１において、例えば、コレステリック液晶が、プレーナ状態において特定波長色の光を乱反射するようにし、コレステリック液晶層１４の下を黒色にして、透明状態において、その黒色が透過して見えるようにすることにより、特定波長色と黒のモノトーン表示を行うものとして説明するが、プレーナ状態において反射される波長帯域に基づいて決定される第１の色、すなわち、特定波長色は、例えば、緑、青、赤など、どのような色であってもかまわないし、液晶を透過して見える第２の色も、いずれの色であってもかまわない。
【００５６】
更に、プレーナ状態において、それぞれ異なる波長帯域を反射する複数のコレステリック液晶層１４を設けることなどにより、コレステリック液晶パネル１を用いて、多色の表示を可能とすることができるようにしても良いことは言うまでもない。
【００５７】
また、図３に示されるように、コレステリック液晶の状態をプレーナ状態に変化させるために必要な両極性パルス電圧の電圧値Ｖｐｓは、フォーカルコニック状態に変化させるために必要な両極性パルス電圧の電圧値Ｖｆｓの、ほぼ２倍の電圧値である。
【００５８】
コレステリック液晶パネル１は、例えば、パネルの全面に電圧値Ｖｐｓの両極性パルスを印加することにより、表示面全体をプレーナ状態として、表示されている情報をリセット（全プレーナリセット）した後、必要な位置の画素電極に電圧値Ｖｆｓの両極性パルスを印加して、フォーカルコニック状態に状態を変化させることにより、所定の情報を表示し、その後、電圧をかけないことにより、表示された情報を保持することができる。
【００５９】
コントローラ５１は、コラムドライバ５２およびロウドライバ５３を制御するとともに、コラムドライバ５２にクロック（ＣＬＫ）信号、イネーブル信号やフェイズシフト信号などの制御信号、および、コレステリック液晶パネル１に表示させる情報を示すデータ（ＤＡＴＡ）を供給し、ロウドライバ５３にイネーブル信号やフェイズシフト信号などの制御信号、および、クロック（ＣＬＫ）信号を供給する。
【００６０】
また、コントローラ５１は、スイッチ６１乃至６４およびスイッチ７１乃至７４の切り替えを制御する（図中、コントローラ５１からスイッチ６１乃至６４およびスイッチ７１乃至７４へ延びる矢印付きラインは、スイッチ６１乃至６４およびスイッチ７１乃至７４をそれぞれ制御するための制御信号ラインを示すものである）。すなわち、コントローラ５１は、スイッチ６４およびスイッチ７４を制御して、コラムドライバ５２に供給される基準電圧であるＧＮＤｃおよびロウドライバ５３に接続される基準電圧であるＧＮＤｒの電圧値を、所定のタイミングで切り替えるとともに、スイッチ６２乃至６４およびスイッチ７２乃至７４も、同様のタイミングで切り替えることにより、コラムドライバ５２およびロウドライバ５３の入出力電圧の電位差を少なくすることが可能となる。
【００６１】
コラムドライバ５２およびロウドライバ５３の入出力電圧とその切り替えのタイミングの詳細については後述する。
【００６２】
コラムドライバ５２は、コントローラ５１より、クロック（ＣＬＫ）信号、イネーブル信号などの制御信号、および、コレステリック液晶パネル１に情報を表示させるためのデータ（ＤＡＴＡ）信号の供給を受けるとともに、駆動電圧Ｖｃ＋およびＶｃ−、並びに、基準電圧ＧＮＤｃと接続され、図１１を用いて後述する入力を受ける。また、コラムドライバ５２は、コントローラ５１の制御にしたがって、コレステリック液晶パネル１の透明コラム電極１２のコラム（信号）電極Ｙ１乃至Ｙｎに、図１２を用いて後述する所定のタイミングで、所定の電圧を印加するドライバである。
【００６３】
ロウドライバ５３は、コントローラ５１より、クロック（ＣＬＫ）信号、および、イネーブル信号などの制御信号の供給を受けるとともに、駆動電圧Ｖｒ＋およびＶｒ−、並びに、基準電圧ＧＮＤｒと接続され、図１１を用いて後述する入力を受ける。また、ロウドライバ５３は、コントローラ５１の制御にしたがって、コレステリック液晶パネル１の透明ロウ電極１５のロウ（走査）電極Ｘ１乃至Ｘｍに、図１２を用いて後述する所定のタイミングで、所定の電圧を印加するドライバである。
【００６４】
スイッチ６１乃至６４およびスイッチ７１乃至７４は、例えば、ＦＥＴ（Field Effect Transistor：電界効果トランジスタ）などのスイッチング素子で構成されている。
【００６５】
スイッチ６１は、コントローラ５１からコラムドライバ５２に供給される、クロック（ＣＬＫ）信号、データ（ＤＡＴＡ）信号、および、イネーブル信号などの制御信号などの入力を、コントローラ５１の制御に基づいて、（Ｖ１＋Ｖ２）の電圧の供給に切り替える。
【００６６】
スイッチ６２は、コラムドライバ５２に接続される駆動電圧Ｖｃ＋の入力を、コントローラ５１の制御に基づいて、＋Ｖ４と（Ｖ１＋Ｖ２）とで切り替える。
【００６７】
スイッチ６３は、コラムドライバ５２に接続される駆動電圧Ｖｃ−の入力を、コントローラ５１の制御に基づいて、−Ｖ４と（Ｖ１＋Ｖ２）とで切り替える。
【００６８】
スイッチ６４は、コラムドライバ５２に接続される基準電圧ＧＮＤｃの電圧値を、コントローラ５１の制御に基づいて、（Ｖ１＋Ｖ２）とＧＮＤ（０Ｖ）とで切り替える。
【００６９】
スイッチ７１は、コントローラ５１からロウドライバ５３に供給される、クロック（ＣＬＫ）信号、および、イネーブル信号などの制御信号などの入力を、コントローラ５１の制御に基づいて、（Ｖ１＋Ｖ２）の電圧の供給に切り替える。
【００７０】
スイッチ７２は、ロウドライバ５３に接続される駆動電圧Ｖｒ＋の入力を、コントローラ５１の制御に基づいて、＋Ｖ３と（Ｖ１＋Ｖ２）とで切り替える。
【００７１】
スイッチ７３は、ロウドライバ５３に接続される駆動電圧Ｖｒ−の入力を、コントローラ５１の制御に基づいて、−Ｖ３と（Ｖ１＋Ｖ２）とで切り替える。
【００７２】
スイッチ７４は、ロウドライバ５３に接続される基準電圧ＧＮＤｒの電圧値を、コントローラ５１の制御に基づいて、（Ｖ１＋Ｖ２）とＧＮＤ（０Ｖ）とで切り替える。
【００７３】
なお、スイッチ６１乃至６４およびスイッチ７１乃至７４には、コントローラ５１の制御に基づいて、コラムドライバ５２、または、ロウドライバ５３に供給される信号または電圧を切り替えることができるのであれば、ＦＥＴ以外のものを用いるようにしても良いことはもちろんである。
【００７４】
ここで、スイッチ６４およびスイッチ７４の切り替えにより、基準電圧ＧＮＤｃおよび基準電圧ＧＮＤｒに接続される電圧（Ｖ１＋Ｖ２）は、Ｖ１＋Ｖ２＞Ｖｐｓを満たす電圧値である。また、コラムドライバ５２に供給される電圧＋Ｖ４および−Ｖ４、並びに、ロウドライバ５３に供給される電圧＋Ｖ３および−Ｖ３は、Ｖ３＋Ｖ４＞Ｖｆｓを満たし、Ｖｆｓ＞Ｖ３かつＶｆｓ＞Ｖ４を満たす電圧値である。
【００７５】
また、コントローラ５１には、必要に応じて、ドライブ８１が接続される。ドライブ８１には、磁気ディスク９１、光ディスク９２、光磁気ディスク９３、または、半導体メモリ９４が装着され、情報を授受できるようになされている。
【００７６】
図１０は、図９のコラムドライバ５２およびロウドライバ５３の更に詳細な構成を示す図である。
【００７７】
図１０Ａは、ロウドライバ５３の詳細な構成を示す図である。ロウドライバ５３のロウ電極への出力信号Ｘ１乃至Ｘｍは、３つのＦＥＴにより、駆動電圧Ｖｒ＋、駆動電圧Ｖｒ−、基準電圧ＧＮＤｒの３値電圧レベルのうちのいずれかが選択されるようになされている。
【００７８】
コントローラ５１から供給されるデータ信号およびクロック信号は、シフトレジスタ１０１に供給される。シフトレジスタ１０１は、供給されたデータ信号を、クロック信号を基にシフトして、出力毎にある論理回路１０２−１乃至１０２−ｍのうちの適するものに入力する。論理回路１０２−１乃至１０２−ｍは、コントローラ５１の制御にしたがって、ＦＥＴのスイッチングを制御するようになされている。具体的には、論理回路１０２−１乃至１０２−ｍは、コントローラ５１から供給されるイネーブル信号（Enable）により、ロウ電極への出力が許可されていないとき、ロウ電極への出力を基準電圧ＧＮＤｒとする。そして、ロウ電極への出力が許可されている場合、論理回路１０２−１乃至１０２−ｍは、コントローラ５１から供給されるフェイズシフト信号（Phase Shifter）、および、シフトレジスタ１０１から供給されるシフトされたデータ信号を基に、駆動電圧Ｖｒ＋と駆動電圧Ｖｒ−とのいずれかを選択的に出力させるようにすることができる。なお、ロウドライバ５３には、データ信号は供給されないので、ロウ電極には、全プレーナリセット後に、図１２を用いて後述するような所定のタイミングで両極性パルスが走査印加されるように制御される。
【００７９】
図１０Ｂは、コラムドライバ５２の詳細な構成を示す図である。コラムドライバ５２のコラム電極への出力信号Ｙ１乃至Ｙｎは、３つのＦＥＴにより、駆動電圧Ｖｃ＋、駆動電圧Ｖｃ−、基準電圧ＧＮＤｃの３値電圧レベルのうちのいずれかが選択されるようになされている。
【００８０】
コントローラ５１から供給されるデータ信号およびクロック信号は、シフトレジスタ１０１に供給される。シフトレジスタ１０１は、供給されたデータ信号を、クロック信号を基にシフトして、出力毎にある論理回路１０２−１乃至１０２−ｎのうちの適するものに入力する。論理回路１０２−１乃至１０２−ｎは、コントローラ５１の制御にしたがって、ＦＥＴのスイッチングを制御するようになされている。具体的には、論理回路１０２−１乃至１０２−ｎは、コントローラ５１から供給されるイネーブル信号（Enable）により、コラム電極への出力が許可されていないとき、コラム電極への出力を基準電圧ＧＮＤｃとする。そして、コラム電極への出力が許可されている場合、論理回路１０２−１乃至１０２−ｎは、コントローラ５１から供給されるフェイズシフト信号（Phase Shifter）、および、シフトレジスタ１０１から供給されるシフトされたデータ信号を基に、駆動電圧Ｖｃ＋と駆動電圧Ｖｃ−とのいずれかを選択的に出力させるようにすることができる。コラム電極には、全プレーナリセット後に、図１２を用いて後述するような所定のタイミングで、両極性パルスが選択的に印加されるように制御される。
【００８１】
図１１は、図９のコラムドライバ５２およびロウドライバ５３の各入力端子への入力について説明するためのタイミングチャートである。
【００８２】
まず、コントローラ５１により、スイッチ７１乃至７４が制御されて、ロウドライバ５３のクロックやイネーブルなどの信号入力端子には、コントローラ５１から供給される信号が入力され、駆動電圧Ｖｒ＋の入力端子には、＋３Ｖが入力され、駆動電圧Ｖｒ−の入力端子には、−３Ｖが入力され、基準電圧ＧＮＤｒの入力端子には、０Ｖが入力されている。そして、コントローラ５１により、スイッチ６１乃至６４が制御されて、コラムドライバ５２のクロック、データ、イネーブルなどの信号入力端子には、コントローラ５１から供給される信号が入力され、駆動電圧Ｖｃ＋の入力端子には、＋４Ｖが入力され、駆動電圧Ｖｃ−の入力端子には、−４Ｖが入力され、基準電圧ＧＮＤｃの入力端子には、０Ｖが入力されている。
【００８３】
そして、コントローラ５１は、全プレーナリセットのため、スイッチ７１乃至７４を制御して、両極性パルスの印加時間によって決まる所定の時間幅で、ロウドライバ５３の信号入力端子、駆動電圧Ｖｒ＋の入力端子、駆動電圧Ｖｒ−の入力端子、および、基準電圧ＧＮＤｒの入力端子に電圧（Ｖ１＋Ｖ２）を供給する。この状態を第１の状態と称する。第１の状態において、コラムドライバ５２に供給される電圧などは、前の状態から切り替えられていない。
【００８４】
そして、コントローラ５１は、その次のタイミング、すなわち、両極性パルスの印加時間によって決まる所定の時間が経過した後、スイッチ７１乃至７４を制御して、ロウドライバ５３の信号入力端子に各種信号、駆動電圧Ｖｒ＋の入力端子に＋Ｖ３、駆動電圧Ｖｒ−の入力端子に−Ｖ３、そして、基準電圧ＧＮＤｒの入力端子に０Ｖをそれぞれ供給する（換言すれば、スイッチ７１乃至７４を元に戻す）とともに、スイッチ６１乃至６４を制御して、所定の時間幅で、コラムドライバ５２の信号入力端子、駆動電圧Ｖｃ＋の入力端子、駆動電圧Ｖｃ−の入力端子、および、基準電圧ＧＮＤｃの入力端子に電圧（Ｖ１＋Ｖ２）を供給する。この状態を第２の状態と称する。
【００８５】
そして、コントローラ５１は、所定の時間が経過した後、スイッチ６１乃至６４を制御して、コラムドライバ５２の信号入力端子に各種信号、駆動電圧Ｖｃ＋の入力端子に＋Ｖ４、駆動電圧Ｖｃ−の入力端子に−Ｖ４、そして、基準電圧ＧＮＤｃの入力端子に０Ｖをそれぞれ供給する（換言すれば、スイッチ６１乃至６４を元に戻す）。第２の状態が終了した後の状態を第３の状態と称する。
【００８６】
第１の状態および第２の状態は、全プレーナリセット期間に対応し、第３の状態は、コレステリック液晶を選択的にフォーカルコニック状態とすることにより、コレステリック液晶パネル１に情報を表示させるための期間に対応する。
【００８７】
図１２および図１３は、コレステリック液晶１に、現在表示されている情報を全プレーナリセットさせた後、図６に示されるような、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素が黒であり、他の画素が特定波長色である、３×３の９画素を表示させる場合の、コラムドライバ５２およびロウドライバ５３の動作を説明するためのタイミングチャートである。
【００８８】
図１２は、コレステリック液晶１に、現在表示されている情報を全プレーナリセットさせた後、図６に示されるような３×３の９画素の情報を表示させるために、コラムドライバ５２がコラム電極Ｙ１乃至Ｙ３に印加する両極性パルスの電圧とタイミング、および、ロウドライバ５３がロウ電極Ｘ１乃至Ｘ３に印加する両極性パルスの電圧とタイミングに加えて、スイッチ６４およびスイッチ７４の切り替えにより基準電圧ＧＮＤｃおよび基準電圧ＧＮＤｒに与えられる電圧とその切り替えのタイミングについて説明するためのタイミングチャートであり、図１３は、図１２を用いて説明した印加電圧によって、３×３の９画素（Ｘ１，Ｙ１）乃至（Ｘ３，Ｙ３）の、それぞれに印加される両極性パルスを説明するためのタイミングチャートである。
【００８９】
まず、コントローラ５１により、スイッチ６４およびスイッチ７４が制御され、コラムドライバ５２に供給されているＧＮＤｃ、および、ロウドライバ５３に供給されているＧＮＤｒは、ＧＮＤ（０Ｖ）となっている。
【００９０】
現在保持されている情報をリセットするためには、画素（Ｘ１，Ｙ１）乃至（Ｘ３，Ｙ３）のそれぞれの電極間に、Ｖｐｓより大きな電圧の両極性パルスが印加されなければならない。ロウドライバ５３は、コントローラ５１の制御に基づいて、ロウ電極Ｘ１乃至Ｘ３に、ＧＮＤｒを印加し、コラムドライバ５２は、コラム電極Ｙ１乃至Ｙ３に、ＧＮＤｃを印加する。そして、コントローラ５１は、図１２に示されるように、全プレーナリセットのため、スイッチ７４を制御して、所定の時間幅（両極性パルスの印加時間によって決まる時間幅）で、ＧＮＤｒに電圧（Ｖ１＋Ｖ２）を供給し（第１の状態が開始）、その次のタイミングで、スイッチ６４を制御して、所定の時間幅で、ＧＮＤｃに電圧（Ｖ１＋Ｖ２）を供給するとともに、スイッチ７４を制御してＧＮＤｒを０Ｖに戻す（第１の状態が終了されて第２の状態が開始）。そして、コントローラ５１は、図１２に示されるように、所定の時間幅経過後、スイッチ６４を制御して、ＧＮＤｃを０Ｖに戻す（第２の状態が終了）。
【００９１】
したがって、ロウドライバ５３のロウ電極Ｘ１乃至Ｘ３への出力電圧は、図１２に示されるように、ＧＮＤｒであるので（Ｖ１＋Ｖ２）のパルス電圧となる。また、コラムドライバ５２のコラム電極Ｙ１乃至Ｙ３への出力電圧は、図１２に示されるように、ＧＮＤｒであるので（Ｖ１＋Ｖ２）のパルス電圧となり、その印加タイミングは、ロウ電極Ｘ１乃至Ｘ３に（Ｖ１＋Ｖ２）が印加された次のタイミングとなる。すなわち、ロウ電極とコラム電極との電位差は、（Ｖ１＋Ｖ２）から（−Ｖ１−Ｖ２）に変動するので、ロウ電極とコラム電極との間には、（Ｖ１＋Ｖ２）の両極性パルス電圧が印加される。
【００９２】
これにより、図１３に示されるように、画素（Ｘ１，Ｙ１）乃至（Ｘ３，Ｙ３）のそれぞれに対応する画素電極間には、（Ｖ１＋Ｖ２）→（−Ｖ１−Ｖ２）の両極性パルスが印加される。ここで、Ｖ１＋Ｖ２＞Ｖｐｓであるので、対応する画素位置の透明コラム電極１２と透明ロウ電極１５の２つの電極間のコレステリック液晶層１４は、プレーナ状態となり、特定波長光を干渉散乱する。すなわち、画素（Ｘ１，Ｙ１）乃至（Ｘ３，Ｙ３）の表示は、全て特定波長色となり、全プレーナリセット状態となる。
【００９３】
なお、ＧＮＤｃに０Ｖが供給され、ＧＮＤｒに（Ｖ１＋Ｖ２）が供給されている第１の状態と、ＧＮＤｃに（Ｖ１＋Ｖ２）が供給され、ＧＮＤｒに０Ｖが供給されている第２の状態とにおいて、電極に印加される電圧が、それぞれ、逆となっていても、コレステリック液晶パネル１は、全プレーナリセット状態となる。すなわち、第１の状態において、ＧＮＤｃに（Ｖ１＋Ｖ２）が供給され、ＧＮＤｒに０Ｖが供給され、第２の状態において、ＧＮＤｃに０Ｖが供給され、ＧＮＤｒに（Ｖ１＋Ｖ２）が供給されるようにしても良い。
【００９４】
更に、ＧＮＤｃおよびＧＮＤｒには、（Ｖ１＋Ｖ２）に代わって、（−Ｖ１−Ｖ２）が供給されるようにしても良い。すなわち、第１の状態において、ＧＮＤｃに０Ｖが供給され、ＧＮＤｒに（−Ｖ１−Ｖ２）が供給され、第２の状態において、ＧＮＤｃに（−Ｖ１−Ｖ２）が供給され、ＧＮＤｒに０Ｖが供給されるようにしても良いし、第１の状態において、ＧＮＤｃに（−Ｖ１−Ｖ２）が供給され、ＧＮＤｒに０Ｖが供給され、第２の状態において、ＧＮＤｃに０Ｖが供給され、ＧＮＤｒに（−Ｖ１−Ｖ２）が供給されるようにしても良い。
【００９５】
また、ＧＮＤｃおよびＧＮＤｒには、それぞれ１回ずつ（Ｖ１＋Ｖ２）または（−Ｖ１−Ｖ２）が供給されているが、ＧＮＤｃおよびＧＮＤｒには、（Ｖ１＋Ｖ２）または（−Ｖ１−Ｖ２）が、交互に複数回供給されるようにしても良い。
【００９６】
その後、ロウドライバ５３は、コントローラ５１の制御に基づいて、図１２に示されるように、ロウ電極Ｘ１から、ロウ電極Ｘ２、ロウ電極Ｘ３と、順次、電圧Ｖ３→−Ｖ３の両極性パルスを走査印加することで、いずれかのロウ電極を選択する。そして、コラムドライバ５２は、コントローラ５１の制御に基づいて、図１２に示されるように、ロウ電極の選択タイミングに対応して、コラム電極Ｙ１乃至コラム電極Ｙ３に、選択的に、逆特性の両極性パルス−Ｖ４→Ｖ４を印加する。具体的には、コラムドライバ５２は、ロウ電極Ｘ１が選択されているとき、コラム電極Ｙ１およびコラム電極Ｙ２に逆特性の両極性パルス−Ｖ４→Ｖ４を印加し、ロウ電極Ｘ２が選択されているとき、コラム電極Ｙ２およびコラム電極Ｙ３に逆特性の両極性パルス−Ｖ４→Ｖ４を印加し、ロウ電極Ｘ３が選択されているとき、コラム電極Ｙ２およびコラム電極Ｙ３に逆特性の両極性パルス−Ｖ４→Ｖ４を印加する。
【００９７】
ロウ電極およびコラム電極に同一タイミングで両極性パルスが印加された画素電極間には、図１３に示されるように、Ｖ３＋Ｖ４→−Ｖ３−Ｖ４の両極性パルス電圧が印加される。ここで、Ｖ３＋Ｖ４＞Ｖｆｓであるので、対応する画素位置の透明コラム電極１２と透明ロウ電極１５の２つの電極間のコレステリック液晶層１４は、フォーカルコニック状態となり、透明となる。すなわち、選択された、（Ｘ１，Ｙ１）（Ｘ１，Ｙ２）（Ｘ２，Ｙ２）（Ｘ２，Ｙ３）（Ｘ３，Ｙ２）および（Ｘ３，Ｙ３）の６画素は、黒で表示され、他の画素の表示は、特定波長色のままとなる。
【００９８】
次に、ロウ電極とコラム電極との電極間電位差と、ロウドライバ５３およびコラムドライバ５２のそれぞれの入出力端子間の電位差について説明する。
【００９９】
図１１を用いて説明した第１の状態において、ロウドライバ５３の全ての入力端子には、電圧（Ｖ１＋Ｖ２）が供給される。また、図１２および図１３を用いて説明した様に、第１の状態において、ロウドライバ５３からロウ電極に出力される電圧も（Ｖ１＋Ｖ２）となる。したがって、第１の状態において、ロウ電極とコラム電極との間には、（Ｖ１＋Ｖ２）の電位差が発生し、ロウドライバ５３の入出力端子間電位差は０である。
【０１００】
そして、図１１を用いて説明した第１の状態において、コラムドライバ５２の入力端子には、クロック等の制御信号、＋Ｖ４、−Ｖ４、０Ｖ（ＧＮＤ）がそれぞれ供給され、図１２および図１３を用いて説明した様に、コラムドライバ５２からコラム電極に出力される電圧は、ＧＮＤｃ、すなわち、０Ｖである。したがって、第１の状態において、コラムドライバ５２の入出力端子間の最大の電位差は、２×Ｖ４となる。
【０１０１】
次に、図１１を用いて説明した第２の状態において、ロウドライバ５３の入力端子には、クロック等の制御信号、＋Ｖ３、−Ｖ３、０Ｖ（ＧＮＤ）がそれぞれ供給される。また、図１２および図１３を用いて説明した様に、第２の状態において、ロウドライバ５３からロウ電極に出力される電圧は、ＧＮＤｒ、すなわち、０Ｖである。したがって、第２の状態において、ロウドライバ５３の入出力端子間の最大の電位差は２×Ｖ３となる。
【０１０２】
そして、図１１を用いて説明した第２の状態において、コラムドライバ５２の全ての入力端子には、電圧（Ｖ１＋Ｖ２）が供給される。そして、図１２および図１３を用いて説明した様に、コラムドライバ５２からコラム電極に出力される電圧も（Ｖ１＋Ｖ２）となる。したがって、第２の状態において、ロウ電極とコラム電極との間には、（−Ｖ１−Ｖ２）の電位差が発生し、コラムドライバ５２の入出力端子間電位差は、０である。
【０１０３】
すなわち、第１の状態と第２の状態において、ロウ電極とコラム電極との間には、（Ｖ１＋Ｖ２）から（−Ｖ１−Ｖ２）に変化する両極性パルス電圧が印加される。
【０１０４】
なお、第１の状態において、ＧＮＤｃに（Ｖ１＋Ｖ２）が供給され、ＧＮＤｒに０Ｖが供給され、第２の状態において、ＧＮＤｃに０Ｖが供給され、ＧＮＤｒに（Ｖ１＋Ｖ２）が供給されるようになされている場合、第１の状態と第２の状態において、ロウ電極とコラム電極との間には、（−Ｖ１−Ｖ２）から（Ｖ１＋Ｖ２）に変化する両極性パルス電圧が印加される。
【０１０５】
そして、第３の状態においては、ロウドライバ５３の入力端子には、クロック等の制御信号、＋Ｖ３、−Ｖ３、０Ｖ（ＧＮＤ）がそれぞれ供給され、コラムドライバ５２の入力端子には、クロック等の制御信号、＋Ｖ４、−Ｖ４、０Ｖ（ＧＮＤ）がそれぞれ供給されるとともに、ロウ電極には、コントローラ５１の制御に基づいて、例えば、図１２および図１３を用いて説明した様な所定のタイミングで、＋Ｖ３、−Ｖ３、０Ｖが供給され、コラム電極には、例えば、図１２および図１３を用いて説明した様な所定のタイミングで、＋Ｖ４、−Ｖ４、０Ｖがそれぞれ供給される。
【０１０６】
したがって、第３の状態におけるロウドライバ５３の入出力端子間の最大の電位差は、２×Ｖ３となり、コラムドライバ５２の入出力端子間の最大の電位差は、２×Ｖ４となる。
【０１０７】
以上説明した様に、本発明を適用した液晶駆動回路４１においては、例えば、Ｖ３＝Ｖ４である場合、コラムドライバ５２およびロウドライバ５３の入出力端子間の最大の電位差、換言すれば、コラムドライバ５２およびロウドライバ５３において必要となる耐圧は、２×Ｖ３（＝２×Ｖ４）となる。Ｖ３＋Ｖ４＞Ｖｆｓであり、電圧値Ｖｐｓは、電圧値Ｖｆｓの、ほぼ２倍の電圧値であるので、（Ｖ３＋Ｖ４）≒１／２（Ｖ１＋Ｖ２）が成立する。したがって、本発明を適用した液晶駆動回路４１においては、従来における場合と比較して、コラムドライバ５２およびロウドライバ５３の耐圧を、ほぼ半分に抑えることが可能となる。
【０１０８】
このようにして、本発明を適用した液晶駆動回路４１を備える液晶表示装置においては、ドライバの耐圧を低く抑えつつ、表示をリセットして、任意の画素を特定波長色から黒に反転することが可能となる。
【０１０９】
また、コレステリック液晶表示パネル１を駆動する液晶駆動回路のドライバ（ここでは、コラムドライバ５２およびロウドライバ５３）の駆動電圧および耐圧が低くなることにより、ドライバに、パッケージの小さな素子を選択することが可能となるので、液晶表示装置の小型化が可能となる。
【０１１０】
また、本発明を適用することにより、コレステリック液晶表示パネル１を駆動する液晶駆動回の小型化が実現されるので、本発明を適用した液晶駆動回路４１を備える液晶表示装置は、例えば、ＰＤＡ、時計、ＩＣカードなどの、小型の情報処理装置に用いられる表示装置として用いると好適である。
【０１１１】
次に、図１４のフローチャートを参照して、本発明を適用した液晶表示装置の液晶駆動回路４１の処理について説明する。
【０１１２】
ステップＳ１において、コントローラ５１は、スイッチ７１乃至７４を制御し、ロウドライバ５３に、クロック等の制御信号、＋Ｖ３、−Ｖ３、ＧＮＤ（０Ｖ）を供給させる。すなわち、ロウドライバ５３に供給される基準電圧ＧＮＤｒはＧＮＤ（０Ｖ）となる。
【０１１３】
ステップＳ２において、コントローラ５１は、スイッチ６１乃至６４を制御し、コラムドライバ５２に、クロック等の制御信号、＋Ｖ４、−Ｖ４、ＧＮＤ（０Ｖ）を供給させる。すなわち、コラムドライバ５２に供給される基準電圧ＧＮＤｃはＧＮＤ（０Ｖ）となる。
【０１１４】
ステップＳ３において、コントローラ５１は、ロウドライバ５３を制御し、ロウドライバ５３の出力電圧を、ＧＮＤｒとする。ロウドライバ５３は、ロウ電極への出力を、ＧＮＤｒとする。
【０１１５】
ステップＳ４において、コントローラ５１は、コラムドライバ５２を制御し、コラムドライバ５２の出力電圧を、ＧＮＤｃとする。コラムドライバ５２は、コラム電極への出力をＧＮＤｃとする。
【０１１６】
ステップＳ１乃至ステップＳ４の処理により、コレステリック液晶パネルの全ての画素位置に対応する透明コラム電極１２および透明ロウ電極１５には、０Ｖが供給されるので、全ての画素間電極の電位差は、０Ｖである。
【０１１７】
ステップＳ５において、コントローラ５１は、スイッチ７１を制御し、ロウドライバ５３に供給するＧＮＤｒを、所定のパルス幅に対応する時間だけ、ＧＮＤから（Ｖ１＋Ｖ２）に切り替えるとともに、スイッチ７２乃至スイッチ７４を制御して、ロウドライバ５３への他の入力、すなわち、信号入力端子、駆動電圧Ｖｒ＋の入力端子、および、駆動電圧Ｖｒ−の入力端子への入力も、（Ｖ１＋Ｖ２）に切り替える。
【０１１８】
ステップＳ５の処理が実行されて所定の時間が経過した後、ステップＳ６において、コントローラ５１は、スイッチ７１を制御し、ロウドライバ５３に供給するＧＮＤｒを（Ｖ１＋Ｖ２）からＧＮＤに切り替え、スイッチ７２乃至スイッチ７４を制御して、ロウドライバへの他の入力、すなわち、信号入力端子、駆動電圧Ｖｒ＋の入力端子、および、駆動電圧Ｖｒ−の入力端子への入力を、クロック等の制御信号、＋Ｖ３、−Ｖ３にそれぞれ切り替えると同時に、スイッチ６１を制御し、コラムドライバ５２に供給するＧＮＤｃを、所定のパルス幅に対応する時間だけ、ＧＮＤから（Ｖ１＋Ｖ２）に切り替えるとともに、スイッチ６２乃至スイッチ６４を制御して、コラムドライバ５２への他の入力、すなわち、信号入力端子、駆動電圧Ｖｃ＋の入力端子、および、駆動電圧Ｖｃ−の入力端子への入力も、（Ｖ１＋Ｖ２）に切り替える。
【０１１９】
ステップＳ６の処理が実行されて所定の時間が経過した後、ステップＳ７において、コントローラ５１は、スイッチ６１を制御し、コラムドライバ５２に供給するＧＮＤｃをＧＮＤとするとともに、スイッチ６２乃至スイッチ６４を制御して、コラムドライバ５２への他の入力を、クロック等の制御信号、＋Ｖ４、−Ｖ４にそれぞれ切り替える。
【０１２０】
ステップＳ５乃至ステップＳ７の処理により、コレステリック液晶パネル１の全ての画素電極（透明コラム電極１２と透明ロウ電極１５の全ての交点）において、電極間に、（Ｖ１＋Ｖ２）→（−Ｖ１−Ｖ２）の両極性パルス電圧が印加されるので、電圧印加前に保持されていた情報はリセットされる。そして、コレステリック液晶パネル１の全ての画素位置に対応する透明コラム電極１２および透明ロウ電極１５には、再び、０Ｖが供給されるので、全ての画素間電極の電位差は、再度、０Ｖとなる。
【０１２１】
ステップＳ８において、コントローラ５１は、ロウドライバ５３を制御して、ロウ電極に選択電圧Ｖ３→−Ｖ３を走査印加させるとともに、コラムドライバ５２を制御して、コラム電極に逆極性の両極性パルス−Ｖ４→Ｖ４を、選択的に印加させて、所定の電極間にＶ３＋Ｖ４＞Ｖｆｓとなる両極性パルス電圧（Ｖ３＋Ｖ４→−Ｖ３−Ｖ４）を印加することによりコレステリック液晶パネルを駆動し、情報を表示させて、処理が終了される。
【０１２２】
例えば、図１２を用いて説明した所定のタイミングで、コラムドライバ５２から、コレステリック液晶パネル１の透明コラム電極１２のコラム電極Ｙ１乃至Ｙｎに電圧が印加され、ロウドライバ５３から、透明ロウ電極１５のロウ電極Ｘ１乃至Ｘｍに電圧が印加された場合、画素（Ｘ１，Ｙ１）乃至（Ｘ３，Ｙ３）に対応するそれぞれの画素電極には、図１３に示される両極性パルス電圧が印加される。したがって、コレステリック液晶パネル１の３×３の９画素には、全プレーナリセットされた後、図６に示されるように、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素が黒で表示され、他の画素が特定波長色で表示される。
【０１２３】
このような処理により、一度表示させた情報を、電源供給することなく保持することが可能なコレステリック液晶を利用した液晶表示装置において、全ての画素電極間のコレステリック液晶をプレーナ状態として全プレーナリセットするために必要な電極間電位差を、ロウドライバ５３およびコラムドライバ５２に供給されるＧＮＤｒおよびＧＮＤｃの電圧値を切り替えることにより発生させることができる。ＧＮＤｒおよびＧＮＤｃの電圧値を切り替えるためには、例えば、ＦＥＴなどで構成されるスイッチ６４およびスイッチ７４を用いるようにすることができる。
【０１２４】
また、スイッチ６４およびスイッチ７４による、基準電圧の切り替えと同時に、コラムドライバ５２の基準電圧以外の入力端子への入力を切り替えるスイッチ６２乃至６４およびロウドライバ５３の基準電圧以外の入力端子への入力を切り替えるスイッチ７２乃至７４を制御して、コラムドライバ５２およびロウドライバ５３の入出力の端子間電圧の最大の電位差を従来における場合の略１／２とすることができる。
【０１２５】
全プレーナリセット後の情報の表示においては、従来のコレステリック液晶を利用した液晶表示装置と同様の方法を用いるので、ロウドライバ５３およびコラムドライバ５２に求められる耐圧は、コレステリック液晶をフォーカルコニック状態にするために必要な画素電極間の電圧によって決まる。すなわち、本発明を適用した液晶駆動回路４１を備える液晶表示装置においては、ロウドライバ５３およびコラムドライバ５２に求められる耐圧を、従来における場合のほぼ半分とすることが可能となる。
【０１２６】
したがって、本発明を適用した液晶駆動回路４１を備える液晶表示装置によれば、ドライバの耐圧を低く抑えつつ、任意の画素を特定波長色から黒に反転することができ、コレステリック液晶表示パネル１を駆動する液晶駆動回路の小型化および低コスト化を実現することができる。
【０１２７】
なお、ここでは、２色表示を行う場合について説明したが、本発明は、コレステリック液晶を利用した液晶表示装置において多色表示を行う場合にも適用可能であることは言うまでもない。
【０１２８】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１２９】
この記録媒体は、図９に示すように、コンピュータとは別に、ユーザにプログラムを提供するために配布される、プログラムが記録されている磁気ディスク９１（フレキシブルディスクを含む）、光ディスク９２（CD-ROM（Compact Disk-Read Only Memory），DVD（Digital Versatile Disk）を含む）、光磁気ディスク９３（ＭＤ（Mini-Disk)（商標）を含む）、もしくは半導体メモリ９４などよりなるパッケージメディアなどにより構成される。
【０１３０】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１３１】
【図１】コレステリック液晶パネルについて説明するための図である。
【図２】コレステリック液晶パネルについて説明するための図である。
【図３】コレステリック液晶の状態と印加される両極性パルス電圧について説明する図である。
【図４】コレステリック液晶に対する駆動波形を示す図である。
【図５】従来の液晶駆動回路を示すブロック図である。
【図６】表示されるデータの例を示す図である。
【図７】図５の液晶駆動回路において、ロウ電極およびコラム電極に印加される電圧を示すタイミングチャートである。
【図８】図５の液晶駆動回路において、コレステリック液晶パネルの各画素の電極間に印加される両極性パルス電圧を示すタイミングチャートである。
【図９】本発明を適用した一実施の形態に係る液晶駆動回路を示すブロック図である。
【図１０】図９のコラムドライバおよびロウドライバの更に詳細な構成を示す図である。
【図１１】図９のコラムドライバおよびロウドライバの各入力端子への入力について説明するためのタイミングチャートである。
【図１２】図９の液晶駆動回路において、ロウ電極およびコラム電極に印加される電圧と、ＧＮＤレベルを示すタイミングチャートである。
【図１３】図９の液晶駆動回路において、コレステリック液晶パネルの各画素の電極間に印加される両極性パルス電圧を示すタイミングチャートである。
【図１４】図９の液晶駆動回路の処理を説明するためのフローチャートである。
【符号の説明】
【０１３２】
１  コレステリック液晶パネル，  ４１  液晶駆動回路，  ５１  コントローラ，  ５２  コラムドライバ，  ５３  ロウドライバ，  ６１乃至６４，７１乃至７４  スイッチ
【図１】
2006350117.tif 000003
【図２】
2006350117.tif 000004
【図３】
2006350117.tif 000005
【図４】
2006350117.tif 000006
【図５】
2006350117.tif 000007
【図６】
2006350117.tif 000008
【図７】
2006350117.tif 000009
【図８】
2006350117.tif 000010
【図９】
2006350117.tif 000011
【図１０】
2006350117.tif 000012
【図１１】
2006350117.tif 000013
【図１２】
2006350117.tif 000014
【図１３】
2006350117.tif 000015
【図１４】
2006350117.tif 000016